(57)【特許請求の範囲】
【請求項１】
通信システムにおいて基準信号を送信するための方法であって、前記方法は、
第１グループのユーザデバイス特有の第１の基準信号を送信することと、前記第１の基準信号は、前記第１グループの各ユーザデバイスの送信モードに少なくとも一部基づく第１の基準信号パターンを有し；
複数のグループのユーザデバイスに対して共通の基準信号を送信することと、前記共通の基準信号は、前記第１の基準信号パターンとは異なる第２の基準信号パターンを有し、前記複数のグループは前記第１グループを含む；
ユーザデバイス特有の第２の基準信号を送信することと；
を備える方法。
【請求項２】
通信システムにおいて基準信号を送信するための方法であって、前記方法は、
第１グループのユーザデバイス特有の第１の基準信号を送信することと、前記第１の基準信号は、前記第１グループの各ユーザデバイスの送信モードに少なくとも一部基づく第１の基準信号パターンを有し；
複数のグループのユーザデバイスに対して共通の基準信号を送信することと、前記共通の基準信号は、前記第１の基準信号パターンとは異なる第２の基準信号パターンを有し、前記複数のグループは前記第１グループを含む；
を備える方法。
【請求項３】
前記第１の基準信号は、前記第１グループのユーザデバイスと関連づけられたデータ方向に沿ってプレコードされる、請求項１または２に記載の方法。
【請求項４】
前記第２の基準信号は、前記ユーザデバイスと関連づけられたデータ方向に沿ってプレコードされる、請求項１に記載の方法。
【請求項５】
第２の基準信号は、前記ユーザデバイスと関連づけられたデータ方向に沿ってプレコードされる、請求項３に記載の方法。
【請求項６】
前記第１の基準信号は、前記第１グループのユーザデバイスと関連づけられたデータ方向とは異なるデータ方向に沿ってプレコードされる、請求項１または２に記載の方法。
【請求項７】
前記第２の基準信号は、前記ユーザデバイスと関連づけられたデータ方向とは異なるデータ方向に沿ってプレコードされる、請求項１に記載の方法。
【請求項８】
第２の基準信号は、前記ユーザデバイスと関連づけられたデータ方向とは異なるデータ方向に沿ってプレコードされる、請求項６に記載の方法。
【請求項９】
チャネル推定信号を送信することをさらに含み、前記チャネル推定信号は、前記第１グループのユーザデバイスと関連づけられたチャネルを推定することに使用できる情報を含む、請求項１または２に記載の方法。
【請求項１０】
前記情報は、基準信号の重み付けデータを含む、請求項９に記載の方法。
【請求項１１】
前記基準信号の重み付けデータは、前記第１の基準信号と前記共通の基準信号とに関連づけられる、請求項１０に記載の方法。
【請求項１２】
チャネル推定信号を送信することをさらに含み、前記チャネル推定信号は、前記第１グループのユーザデバイスと前記ユーザデバイスとに関連づけられたチャネルを推定することに使用できる情報を含む、請求項１に記載の方法。
【請求項１３】
前記情報は、基準信号の重み付けデータを含む、請求項１２に記載の方法。
【請求項１４】
前記第１の基準信号は、システムパラメータに少なくとも一部基づいている、請求項１または２に記載の方法。
【請求項１５】
前記システムパラメータは、チャネル条件である、請求項１４に記載の方法。
【請求項１６】
前記チャネル条件は、前記チャネルの時間選択性である、請求項１５に記載の方法。
【請求項１７】
前記チャネル条件は、前記チャネルの周波数選択性である、請求項１５に記載の方法。
【請求項１８】
前記システムパラメータは、ランクである、請求項１４に記載の方法。
【請求項１９】
前記第１の基準信号パターンは第１の基準信号密度を含み、前記第１の基準信号密度は、少なくとも１つのシステムパラメータにしたがって選択される、請求項１または２に記載の方法。
【請求項２０】
前記少なくとも１つのシステムパラメータは、送信のしきい値ランクよりも大きい送信のランクで動作している前記第１グループのユーザデバイス内のユーザデバイスの数に関連する、請求項１９に記載の方法。
【請求項２１】
前記少なくとも１つのシステムパラメータは、チャネル条件を備える、請求項１９に記載の方法。
【請求項２２】
前記第１の基準信号パターンは、単一の時間−周波数リソースブロックに定義される、請求項１９に記載の方法。
【請求項２３】
前記第１の基準信号パターンは、少なくとも第１および第２の連続する時間−周波数リソースブロックに定義される、請求項１９に記載の方法。
【請求項２４】
前記第１および第２の連続する時間−周波数リソースブロックは、時間において連続している、請求項２３に記載の方法。
【請求項２５】
前記第１および第２の連続する時間−周波数リソースブロックは、周波数において連続している、請求項２３に記載の方法。
【請求項２６】
通信システムにおいて使用するための装置であって、前記装置は、
基準信号選択モジュールと、前記基準信号選択モジュールは、
第１グループのユーザデバイス特有の第１の基準信号を選択し、前記第１の基準信号は、前記第１グループの各ユーザデバイスの送信モードに少なくとも一部基づく第１の基準信号パターンを有し、及び
複数のグループのユーザデバイス特有の共通の基準信号を選択するように構成され、前記共通の基準信号は、前記第１の基準信号パターンとは異なる第２の基準信号パターンを有し、前記複数のグループは、前記第１グループを含む；
前記第１の基準信号と前記共通の基準信号を送信するように構成された送信モジュールと；
を備える装置。
【請求項２７】
前記基準信号選択モジュールは、ユーザデバイス特有の第２の基準信号を選択するようにさらに構成され、前記送信モジュールは、前記第２の基準信号を送信するようにさらに構成される、請求項２６に記載の装置。
【請求項２８】
前記第１グループのユーザデバイスと関連づけられたデータ方向に沿って前記第１の基準信号をプレコードするように構成されたプレコーディングモジュール、をさらに含む請求項２６に記載の装置。
【請求項２９】
前記ユーザデバイスと関連づけられたデータ方向に沿って前記第２の基準信号をプレコードするように構成されたプレコーディングモジュール、をさらに含む請求項２７に記載の装置。
【請求項３０】
前記プレコーディングモジュールは、前記ユーザデバイスと関連づけられたデータ方向に沿って第２の基準信号をプレコードするようにさらに構成される、請求項２８に記載の装置。
【請求項３１】
前記第１グループのユーザデバイスと関連づけられたデータ方向とは異なるデータ方向に沿って前記第１の基準信号をプレコードするように構成されたプレコーディングモジュール、をさらに含む請求項２６に記載の装置。
【請求項３２】
前記ユーザデバイスと関連づけられたデータ方向とは異なるデータ方向に沿って前記第２の基準信号をプレコードするように構成されたプレコーディングモジュール、をさらに含む請求項２７に記載の装置。
【請求項３３】
前記プレコーディングモジュールは、前記ユーザデバイスと関連づけられたデータ方向とは異なるデータ方向に沿って第２の基準信号をプレコードするようにさらに構成される、請求項３１に記載の装置。
【請求項３４】
前記送信モジュールは、チャネル推定信号を送信するようにさらに構成され、前記チャネル推定信号は、前記第１グループのユーザデバイスと関連づけられたチャネルを推定することに使用できる情報を含む、請求項２６に記載の装置。
【請求項３５】
前記情報は、基準信号の重み付けデータを含む、請求項３４に記載の装置。
【請求項３６】
前記基準信号の重み付けデータは、前記第１の基準信号と前記共通の基準信号とに関連づけられる、請求項３５に記載の装置。
【請求項３７】
前記送信モジュールは、チャネル推定信号を送信するようにさらに構成され、前記チャネル推定信号は、前記第１グループのユーザデバイスと前記ユーザデバイスとに関連づけられたチャネルを推定することに使用できる情報を含む、請求項２７に記載の装置。
【請求項３８】
前記情報は、基準信号の重み付けデータを含む、請求項３７に記載の装置。
【請求項３９】
前記第１の基準信号は、システムパラメータに少なくとも部分的に基づいて選択される、請求項２６に記載の装置。
【請求項４０】
前記システムパラメータは、チャネル条件である、請求項３９に記載の装置。
【請求項４１】
前記チャネル条件は、前記チャネルの時間選択性である、請求項４０に記載の装置。
【請求項４２】
前記チャネル条件は、前記チャネルの周波数選択性である、請求項４０に記載の装置。
【請求項４３】
前記システムパラメータは、ランクである、請求項３９に記載の装置。
【請求項４４】
前記第１の基準信号パターンは、さらに、少なくとも１つのシステムパラメータにしたがって選択される第１の基準信号密度に基づく、請求項２６に記載の装置。
【請求項４５】
前記少なくとも１つのシステムパラメータは、送信のしきい値ランクよりも大きい送信のランクにおいて動作している前記第１グループのユーザデバイス内のユーザデバイスの数に関連する、請求項４４に記載の装置。
【請求項４６】
前記少なくとも１つのシステムパラメータは、チャネル条件を備える、請求項４４に記載の装置。
【請求項４７】
前記第１の基準信号パターンは、単一の時間−周波数リソースブロックに定義される、請求項４４に記載の装置。
【請求項４８】
前記第１の基準信号パターンは、少なくとも第１および第２の連続する時間−周波数リソースブロックに定義される、請求項４４に記載の装置。
【請求項４９】
前記第１および第２の連続する時間−周波数リソースブロックは、時間において連続している、請求項４８に記載の装置。
【請求項５０】
前記第１および第２の連続する時間−周波数リソースブロックは、周波数において連続している、請求項４８に記載の装置。
【請求項５１】
通信システムにおける信号受信の方法であって、前記方法は、
第１グループのユーザデバイス特有の第１の基準信号を、ユーザデバイスにおいて、受信することと、前記第１の基準信号は、前記第１グループの各ユーザデバイスの送信モードに少なくとも一部基づく第１の基準信号パターンを有し、
前記ユーザデバイス特有の第２の基準信号を、前記ユーザデバイスにおいて、受信することと、前記第２の基準信号は、前記ユーザデバイスの送信モードに少なくとも一部基づく第２の基準信号パターンを有し、前記第２の基準信号パターンは前記第１の基準信号パターンと異なる、
前記第１の基準信号と前記第２の基準信号とに少なくとも一部基づいてチャネル推定値を導出することと、
を備える方法。
【請求項５２】
共通基準信号を前記ユーザデバイスにおいて受信すること、をさらに備え、前記チャネル推定値を導出することは、前記共通基準信号に少なくとも一部基づいて前記チャネル推定値を導出することを含む、請求項５１に記載の方法。
【請求項５３】
前記第１の基準信号は、時間−周波数リソース領域内に含まれる第１サブセットの時間−周波数リソースエレメントによって搬送され、前記第１サブセットの時間−周波数リソースエレメントは、前記時間−周波数リソース領域に前記第１の基準信号パターンを定義し、
前記第２の基準信号は、前記時間−周波数リソース領域内に含まれる第２サブセットの時間−周波数リソースエレメントによって搬送され、前記第２サブセットの時間−周波数リソースエレメントは、前記時間−周波数リソース領域に前記第２の基準信号パターンを定義する、
請求項５１に記載の方法。
【請求項５４】
前記第１の基準信号は、時間−周波数リソース領域内に含まれる第１サブセットの時間−周波数リソースエレメントによって搬送され、前記第１サブセットの時間−周波数リソースエレメントは、前記時間−周波数リソース領域に第１の基準信号パターンを定義し、
前記第２の基準信号は、前記時間−周波数リソース領域内に含まれる第２サブセットの時間−周波数リソースエレメントによって搬送され、前記第２サブセットの時間−周波数リソースエレメントは、前記時間−周波数リソース領域に前記第２の基準信号パターンを定義し、
前記共通基準信号は、前記時間−周波数リソース領域内に含まれる第３サブセットの時間−周波数リソースエレメントによって搬送され、前記第３サブセットの時間−周波数リソースエレメントは、前記時間−周波数リソース領域に第３の基準信号パターンを定義し、前記第３の基準信号パターンは、前記第１の基準信号パターン及び前記第２の基準信号パターンとは異なる、
請求項５２に記載の方法。
【請求項５５】
前記ユーザデバイスにおいてデータ信号を受信することと、
前記チャネル推定値に少なくとも一部基づいて前記データ信号を復調することと、
をさらに備える請求項５１に記載の方法。
【請求項５６】
チャネル推定信号を受信することと、
をさらに含み、前記チャネル推定信号は、前記第１グループのユーザデバイスと関連づけられたチャネルを推定することに使用できる情報を含み、前記チャネル推定値を導出することは、前記チャネル推定信号にさらに基づいている、請求項５１に記載の方法。
【請求項５７】
前記情報は、基準信号の重み付けデータを含み、前記チャネル推定値を導出することは、前記重み付けデータに少なくとも一部基づいている、請求項５６に記載の方法。
【請求項５８】
前記第１の基準信号は、システムパラメータに少なくとも一部基づいている、請求項５１に記載の方法。
【請求項５９】
前記システムパラメータは、チャネル条件である、請求項５８に記載の方法。
【請求項６０】
前記チャネル条件は、前記チャネルの時間選択性である、請求項５９に記載の方法。
【請求項６１】
前記チャネル条件は、前記チャネルの周波数選択性である、請求項５９に記載の方法。
【請求項６２】
前記システムパラメータは、ランクである、請求項５８に記載の方法。
【請求項６３】
通信システムにおいて使用するための装置であって、前記装置は、
第１グループのユーザデバイス特有の第１の基準信号と、ユーザデバイス特有の第２の基準信号と、を受信するように構成された受信機モジュールと、前記第１の基準信号は、前記第１グループの各ユーザデバイスの送信モードに少なくとも一部基づく第１の基準信号パターンを有し、前記第２の基準信号は、前記ユーザデバイスの送信モードに少なくとも一部基づく第２の基準信号パターンを有し、前記第２の基準信号パターンは前記第１の基準信号パターンと異なる、
前記第１の基準信号と前記第２の基準信号とに少なくとも一部基づいてチャネル推定値を導出するように構成されたチャネル推定モジュールと、
を備える装置。
【請求項６４】
前記受信機モジュールは、共通基準信号を受信するようにさらに構成され、前記チャネル推定値を導出することは、前記共通基準信号に少なくとも一部基づいて前記チャネル推定値を導出することをさらに含む、請求項６３に記載の装置。
【請求項６５】
前記第１の基準信号は、時間−周波数リソース領域内に含まれる第１サブセットの時間−周波数リソースエレメントによって搬送され、前記第１サブセットの時間−周波数リソースエレメントは、前記時間−周波数リソース領域に前記第１の基準信号パターンを定義し、
前記第２の基準信号は、前記時間−周波数リソース領域内に含まれる第２サブセットの時間−周波数リソースエレメントによって搬送され、前記第２サブセットの時間−周波数リソースエレメントは、前記時間−周波数リソース領域に第２の基準信号パターンを定義する、
請求項６４に記載の装置。
【請求項６６】
前記第１の基準信号は、時間−周波数リソース領域内に含まれる第１サブセットの時間−周波数リソースエレメントによって搬送され、前記第１サブセットの時間−周波数リソースエレメントは、前記時間−周波数リソース領域に前記第１の基準信号パターンを定義し、
前記第２の基準信号は、前記時間−周波数リソース領域内に含まれる第２サブセットの時間−周波数リソースエレメントによって搬送され、前記第２サブセットの時間−周波数リソースエレメントは、前記時間−周波数リソース領域に前記第２の基準信号パターンを定義し、
前記共通基準信号は、前記時間−周波数リソース領域内に含まれる第３サブセットの時間−周波数リソースエレメントによって搬送され、前記第３サブセットの時間−周波数リソースエレメントは、前記時間−周波数リソース領域に第３の基準信号パターンを定義し、前記第３の基準信号パターンは、前記第１の基準信号パターン及び前記第２の基準信号パターンとは異なる、
請求項６４に記載の方法。
【請求項６７】
前記受信機モジュールはデータ信号を受信するようにさらに構成され、前記チャネル推定値に少なくとも一部基づいて前記データ信号を復調するように構成された復調モジュール、をさらに備える、請求項６３に記載の装置。
【請求項６８】
前記受信機モジュールは、チャネル推定信号を受信するようにさらに構成され、前記チャネル推定信号は、前記第１グループのユーザデバイスと関連づけられたチャネルを推定することに使用できる情報を含み、前記チャネル推定モジュールは、前記チャネル推定信号に少なくとも一部基づいて前記チャネル推定値を導出するようにさらに構成される、請求項６３に記載の装置。
【請求項６９】
前記情報は、基準信号の重み付けデータを含み、前記チャネル推定値を導出することは、前記重み付けデータに少なくとも部分的に基づいている、請求項６８に記載の装置。
【請求項７０】
前記第１の基準信号は、システムパラメータに少なくとも一部基づいている、請求項６３に記載の装置。
【請求項７１】
前記システムパラメータは、チャネル条件である、請求項７０に記載の装置。
【請求項７２】
前記チャネル条件は、前記チャネルの時間選択性である、請求項７１に記載の装置。
【請求項７３】
前記チャネル条件は、前記チャネルの周波数選択性である、請求項７１に記載の装置。
【請求項７４】
前記システムパラメータは、ランクである、請求項７０に記載の装置。
【請求項７５】
無線ネットワークにおける無線通信のためのコンピュータプログラムであって、
コンピュータに、第１グループのユーザデバイス特有の第１の基準信号を送信させるコードと、前記第１の基準信号は、前記第１グループの各ユーザデバイスの送信モードに少なくとも一部基づく第１の基準信号パターンを有し；
前記コンピュータに、複数のグループのユーザデバイスに対して共通の基準信号を送信させるコードと、前記複数のグループは、前記第１グループを含み、前記共通の基準信号は第２の記受信信号パターンを有し、前記第２の基準信号パターンは前記第１の基準信号パターンとは異なる；
を含む、コンピュータプログラム。
【請求項７６】
前記コンピュータに、ユーザデバイス特有の第２の基準信号を送信させるコード、をさらに含む請求項７５に記載のコンピュータプログラム。
【請求項７７】
前記コンピュータに、前記第１グループのユーザデバイスと関連づけられたデータ方向に沿って前記第１の基準信号をプレコードさせるコード、をさらに含む請求項７５に記載のコンピュータプログラム。
【請求項７８】
前記コンピュータに、前記ユーザデバイスと関連づけられたデータ方向に沿って前記第２の基準信号をプレコードさせるコード、をさらに含む請求項７５に記載のコンピュータプログラム。
【請求項７９】
前記コンピュータに、
時間−周波数リソース領域と、前記時間−周波数リソース領域内に含まれる前記第１の基準信号を搬送する第１サブセットの時間−周波数リソースエレメントとを選択させるコードと、前記第１サブセットの時間−周波数リソースエレメントは、チャネル推定のために配置された前記時間−周波数リソース領域に前記第１の基準信号パターンを定義する；
前記第１グループのユーザデバイスに対して前記第１の基準信号を送信させるコードと；
を含む、
請求項７５に記載のコンピュータプログラムプロダクト。
【請求項８０】
前記第１の基準信号パターンは、さらに第１の基準信号密度に基づき、
さらに、前記コンピュータに、少なくとも１つのシステムパラメータにしたがって前記第１の基準信号密度を選択させるコードを含む、請求項７９に記載のコンピュータプログラム。
【請求項８１】
前記少なくとも１つのシステムパラメータは、チャネル条件を備える、請求項８０に記載のコンピュータプログラム。
【請求項８２】
前記チャネル条件は、前記チャネルの時間選択性である、請求項８１に記載のコンピュータプログラム。
【請求項８３】
前記チャネル条件は、前記チャネルの周波数選択性である、請求項８１に記載のコンピュータプログラム。
【請求項８４】
通信システムにおいて使用するための装置であって、前記装置は、
第１グループのユーザデバイス特有の第１の基準信号と、複数のグループのユーザデバイス特有の共通基準信号とを選択する手段と、前記複数のグループは、前記第１グループを含み、前記第１の基準信号は前記第１グループの各ユーザデバイスの送信モードに少なくとも一部基づく第１の基準信号パターンを有し、前記共通基準信号は第２の基準信号パターンを有し、前記第２の基準信号パターンは前記第１の基準信号パターンとは異なる；
前記第１の基準信号と前記共通の基準信号を送信する手段と；
を備える装置。
【請求項８５】
ユーザデバイス特有の第２の基準信号を選択する手段と、前記第２の基準信号を送信する手段と、をさらに含む請求項８４に記載の装置。
【請求項８６】
前記第１グループのユーザデバイスと関連づけられたデータ方向に沿って前記第１の基準信号をプレコードする手段、をさらに含む請求項８４に記載の装置。
【請求項８７】
前記ユーザデバイスと関連づけられたデータ方向に沿って前記第２の基準信号をプレコードする手段、をさらに含む請求項８５に記載の装置。
【請求項８８】
無線ネットワークにおける無線通信のためのコンピュータプログラムであって、
コンピュータに、第１グループのユーザデバイス特有の第１の基準信号を、ユーザデバイスにおいて受信させるためのコードと、
コンピュータに、前記ユーザデバイス特有の第２の基準信号を、前記ユーザデバイスにおいて受信させるためのコードと、前記第１の基準信号は、前記第１グループの各ユーザデバイスの送信モードに少なくとも一部基づく第１の基準信号パターンを有し、前記第２の記受信信号は、前記ユーザデバイスの送信モードに少なくとも一部基づく第２の基準信号パターンを有し、前記第２の基準信号パターンは前記第１の基準信号パターンとは異なる、
コンピュータに、少なくとも前記第１の基準信号と前記第２の基準信号とに基づいてチャネル推定値を導出させるためのコードと、
を含む、
コンピュータプログラム。
【請求項８９】
通信システムにおいて使用するための装置であって、前記装置は、
第１グループのユーザデバイス特有の第１の基準信号と、ユーザデバイス特有の第２の基準信号とを受信する手段と、前記第１の基準信号は、前記第１グループの各ユーザデバイスの送信モードに少なくとも一部基づく第１の基準信号パターンを有し、前記第２の記受信信号は第２の基準信号パターンを有し、前記第２の基準信号パターンは前記第１の基準信号パターンとは異なる、
少なくとも前記第１の基準信号と前記第２の基準信号とに基づいてチャネル推定値を導出する手段と、
を備える装置。
【請求項９０】
共通基準信号を受信する手段と、前記共通基準信号に少なくとも一部基づいて前記チャネル推定値を導出する手段と、をさらに含む請求項８９に記載の装置。
【請求項９１】
データ信号を受信する手段と、前記チャネル推定値に少なくとも一部基づいて前記データ信号を復調する手段と、をさらに含む請求項８９に記載の装置。
【発明の詳細な説明】
【優先権の主張】
【０００１】
本願は、２００９年３月３１日に出願され「METHOD AND APPARATUS DESIGN OPTION FOR REFERENCE SIGNAL FOR DEMODULATION」と題された米国仮特許出願番号第６１／１６５，４５６号に対し、米国特許法第１１９条（ｅ）の下、優先権を主張し、その内容はすべての目的のためにその全体においてここにおける参照により組み込まれている。
【技術分野】
【０００２】
本願は、一般的には無線通信システムを対象とする。より具体的には、排他的ではないが、本願は、ＬＴＥ通信システムにおける基準信号の生成および使用のための方法および装置に関する。
【背景技術】
【０００３】
無線通信システムは、例えば音声、データ、ビデオ、および同様なもの、のような様々なタイプの通信コンテンツを提供するように広く展開されている。これらのシステムは、利用可能なシステムリソース（例、帯域幅および送信電力）を共有することによって、複数ユーザとの通信をサポートすることができる多元接続システムであってもよい。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、および他の直交周波数分割多元接続（ＯＦＤＭＡ）システムを含む。
【０００４】
一般的に、無線多元接続通信システムは、複数の無線端末（ユーザ機器またはＵＥとしても知られている）のための通信を同時にサポートすることができる。各端末は、順方向リンクおよび逆方向リンク上の送信を介して１つまたは複数の基地局と通信する。順方向リンク（ダウンリンクとも呼ばれる）は、基地局（アクセスポイントまたはＡＰとしても知られている）から端末までの通信リンクを指し、逆方向リンク（アップリンクとも呼ばれる）は、端末から基地局までの通信リンクを指す。これらの通信リンクは、シングルインシングルアウト、シングルインマルチプルアウト、マルチプルインシングルアウトまたはマルチプルインマルチプルアウト（ＭＩＭＯ）システムを介して確立されることができる。ＭＩＭＯシステムでは、さらなる送信電力または帯域幅を必要とすることなく、通信性能を改善するために、送信機と受信機の両方において、複数のアンテナが使用される。ロングタームエボリューション（ＬＴＥ）のような次世代システムは、高度な性能およびデータスループットのためにＭＩＭＯ技術を使用することを可能にする。
【発明の概要】
【０００５】
本開示は、一般的には、通信システムにおいて基準信号（reference signal）を提供するための装置および方法に関する。例えば、ＬＴＥ通信システムでは、復調基準信号パターン(demodulation reference signal pattern)は、システムパラメータまたは他のパラメータまたは特性に基づいて、生成されそして送信されることができる。基準信号パターンは、複数の連続物理リソースブロックにわたって定義されることができる。
【０００６】
一態様では、本開示は、通信システムにおいて基準信号を送信するための方法に関し、方法は、第１グループのユーザデバイス特有の第１の基準信号を送信することと；第２グループのユーザデバイスに対して共通基準信号を送信することと、ここにおいて、第２グループのユーザデバイスは、第１グループのユーザデバイスを含む；を含む。
【０００７】
別の態様では、本開示は、通信システムにおいて使用するための装置に関し、装置は、第１グループのユーザデバイス特有の第１の基準信号と第２グループのユーザデバイス特有の共通基準信号を選択するように構成された基準信号選択モジュールと、ここにおいて、第２グループのユーザデバイスは、第１グループのユーザデバイスを含む；第１の基準信号と共通基準信号を送信するように構成された送信モジュールと；を含む。
【０００８】
別の態様では、本開示は、通信システムにおける信号受信の方法に関し、方法は、１つのグループのユーザデバイス特有の第１の基準信号を、ユーザデバイスにおいて受信することと、該ユーザデバイス特有の第２の基準信号を、該ユーザデバイスにおいて受信することと、少なくとも第１の基準信号と第２の基準信号とに基づいてチャネル推定値を導出することと、を含む。
【０００９】
別の態様では、本開示は、通信システムにおいて使用するための装置に関し、装置は、１つのグループのユーザデバイス特有の第１の基準信号と、ユーザデバイス特有の第２の基準信号とを受信するように構成された受信機モジュールと、少なくとも第１の基準信号と第２の基準信号とに基づいてチャネル推定値を導出するように構成されたチャネル推定モジュールと、を含む。
【００１０】
別の態様では、本開示は、コンピュータ可読媒体を備えるコンピュータプログラムプロダクトに関し、コンピュータ可読媒体は、第１グループのユーザデバイス特有の第１の基準信号をコンピュータに送信させるためのコードと；第２グループのユーザデバイスに対して共通の基準信号をコンピュータに送信させるためのコードと、ここにおいて、第２グループのユーザデバイスは、第１グループのユーザデバイスを含む；を含む。
【００１１】
別の態様では、本開示は、コンピュータ可読媒体を備えるコンピュータプログラムプロダクトに関し、コンピュータ可読媒体は、コンピュータに、１つのグループのユーザデバイス特有の第１の基準信号を、ユーザデバイスにおいて受信させるためのコードと、該ユーザデバイス特有の第２の基準信号を、該ユーザデバイスにおいて受信させるためのコードと、少なくとも第１の基準信号と第２の基準信号とに基づいてチャネル推定値を導出させるためのコードと、を含む。
【００１２】
更なる態様は、図面と併せて下記でさらに説明されている。
【００１３】
本願は、図面と併せて下記の詳細な説明と関連して十分に理解されることができる。
【図面の簡単な説明】
【００１４】
【図１】図１は、実施形態が実装されうる多元接続無線通信システムを図示する。
【図２】図２は、ＭＩＭＯ通信システムの一実施形態のブロック図である。
【図３】図３は、ＬＴＥシステムにおける時間−周波数リソースブロックおよびリソースエレメントを図示する。
【図４Ａ】図４Ａは、ＵＥ特有のケースについての基準信号構成の実装を図示する。
【図４Ｂ】図４Ｂは、周波数連続であるマルチブロックＵＥ特有リソース領域についての基準信号構成の実装を図示する。
【図４Ｃ】図４Ｃは、周波数連続であるマルチブロックＵＥ特有のケースについての別の基準信号構成の実装を図示する。
【図４Ｄ】図４Ｄは、時間連続であるマルチブロックＵＥ特有のケースについての基準信号構成の実装を図示する。
【図５Ａ】図５Ａは、グループ特有のケースについての基準信号構成の実装を図示する。
【図５Ｂ】図５Ｂは、周波数連続であるマルチブロックのグループ特有リソース領域についての基準信号構成の実装を図示する。
【図５Ｃ】図５Ｃは、周波数連続であるマルチブロックのグループ特有のケースについての基準信号構成の別の実装を図示する。
【図５Ｄ】図５Ｄは、時間連続であるマルチブロックのグループ特有のケースについての基準信号構成の実装を図示する。
【図５Ｅ】図５Ｅは、周波数連続であるマルチブロックのグループ特有のケースについての基準信号構成の実装を図示する。
【図６】図６は、グループ構成におけるｅＮｏｄｅＢとＵＥの構成の例を図示する。
【図７Ａ】図７Ａは、グループ特有の基準信号パターンを選択するためのプロセスを図示する。
【図７Ｂ】図７Ｂは、グループ特有の基準信号の送信のためにグループを選択するためのプロセスを図示する。
【図８】図８は、ＵＥ特有およびグループ特有の基準信号パターンの組み合わせを図示する。
【図９】図９は、復調チャネル推定のための、ＵＥ特有およびグループ特有の基準信号の使用の実装を図示する。
【図１０】図１０は、プレコードされた基準信号の送信の例を図示する。
【図１１】図１１は、プレコードされていない基準信号の送信の例を図示する。
【詳細な説明】
【００１５】
本開示の様々な態様が下記で説明されている。ここにおける教示は様々な形態で具現化されうるということ、そして、ここにおいて開示されている、いずれの具体的な構造、機能または、両方は、単なる見本にすぎない。ここにおける教示に基づいて、当業者は、ここにおいて開示される態様はいずれの他の態様と独立して実装されることができるということ、そして、これらの態様のうちの２以上は様々な方法で組み合わせられることができるということ、を理解すべきである。例えば、ここに記載される任意の数の態様を使用して、本装置が実装されうる、または、本方法が実行されうる。さらに、ここに記載される態様の１つまたは複数に加えて、または、ここに記載される態様の１つまたは複数のほかに、他の構造、機能、または構造および機能を使用して、このような装置は実装されうる、または、このような方法は実践されうる。更に、一態様は、本願請求項の少なくとも1つの構成要素を備えることができる。
【００１６】
本開示は、一般的には、通信システムにおいて基準信号を提供するための装置および方法に関する。例えば、ＬＴＥ通信システムでは、復調基準信号パターンは、システムパラメータまたは他のパラメータまたは特性に基づいて、生成および送信されることができる。基準信号パターンは、複数の連続物理リソースブロックにわたって定義されることができる。
【００１７】
一態様では、本開示は、通信システムにおいて基準信号を送信するための方法に関し、方法は、第１グループのユーザデバイス特有の第１の基準信号を送信することと；第２グループのユーザデバイスに対して共通基準信号を送信することと、ここにおいて、第２グループのユーザデバイスは、第１グループのユーザデバイスを含む；を含む。
【００１８】
さらに、方法は、ユーザデバイス特有の第２の基準信号を送信すること、を含むことができる。第１の基準信号は、ユーザデバイスの第１グループと関連づけられたデータ方向(data direction)に沿ってプレコードされることができる。第２の基準信号は、該ユーザデバイスと関連づけられたデータ方向に沿ってプレコードされることができる。プレコーディングは、特定の方向または複数方向で送信された信号を方向づけるためにビームフォーミングを実行するために使用されることができる。
【００１９】
あるいは、第１の基準信号は、第１グループのユーザデバイスと関連づけられたデータ方向とは異なるデータ方向に沿ってプレコードされることができる。第２の基準信号はまた、ユーザデバイスと関連づけられたデータ方向とは異なるデータ方向に沿ってプレコードされることができる。
【００２０】
さらに、方法は、チャネル推定信号を送信することを含むことができ、チャネル推定信号は、ユーザデバイスおよび／または第１グループのユーザデバイスと関連づけられたチャネルを推定することに使用できる情報を含んでいる。情報は、基準信号の重み付けデータを含むことができる。基準信号の重み付けデータは、第１の基準信号、第２の基準信号、および／または、共通基準信号、と関連づけられることができる。
【００２１】
さらに、第1の基準信号は、システムパラメータに少なくとも部分的に基づくことができる。システムパラメータは、チャネル条件(channel condition)または特性(characteristic)であることができる。チャネル条件は、チャネルの時間選択性(time selectivity of the channel)であることができる。チャネル条件は、チャネルの周波数選択性(frequency selectivity of the channel)であることができる。第１の基準信号パターンは、送信された信号における利用可能なリソースエレメントに基づくことができる。システムパラメータはまた、ランクであってもよい。対応する装置、手段、および/またはコンピュータ可読媒体は、方法を実装するために提供されることができる。
【００２２】
別の態様では、本開示は、基準信号を送信するための方法に関し、方法は、時間−周波数リソース領域と、第１の基準信号を搬送する、時間−周波数リソース領域内に含まれる時間−周波数リソースエレメントの第１サブセットと、を選択することと、なお、第１サブセットの時間−周波数リソースエレメントは、チャネル推定のために時間−周波数リソース領域上に第１の基準信号パターンを定義し、第１グループのユーザデバイスに対して第１の基準信号を送信することと、を含む。
【００２３】
方法はまた、第２の基準信号を搬送する時間−周波数リソースエレメントの第２サブセットを選択することと、なお、第２サブセットの時間−周波数リソースエレメントは、第２の基準信号パターンを定義する；第２グループのユーザデバイスに対して第２の基準信号を送信することと；を含む。第１の基準信号パターンは、少なくとも１つのシステムパラメータにしたがって選択される第１の基準信号密度であってもよい。システムパラメータは、送信のランクであってもよい。システムパラメータは、送信のしきい値ランクよりも大きい送信のランクにおいて動作している第１グループのユーザデバイス内のユーザデバイスの数に関連することができる。
【００２４】
システムパラメータは、チャネル条件または特性を備えることができる。チャネル特性は、チャネルの時間選択性であることができる。チャネル特性は、チャネルの周波数選択性であることができる。
【００２５】
時間−周波数リソース領域は、単一の時間−周波数リソースブロックを備えることができる。あるいは、時間−周波数リソース領域は、少なくとも第１および第２の連続時間−周波数リソースブロックを備えることができる。第１および第２の連続時間−周波数リソースブロックは、時間において連続することができる。第１および第２の連続時間−周波数リソースブロックは、周波数において連続することができる。
【００２６】
時間−周波数リソース領域は、少なくとも１つのシステムパラメータに基づく第１の数の連続時間−周波数リソースブロック(first number of contiguous time-frequency resource blocks)を備えることができる。対応する装置、手段、および/またはコンピュータ可読媒体は、方法を実装するために提供されることができる。
【００２７】
別の態様では、本開示は、通信システムにおいて使用するための装置に関し、該装置は、第１グループのユーザデバイス特有の第１の基準信号とユーザデバイスの第２グループ特有の共通基準信号を選択するように構成された基準信号選択モジュールと、ここにおいて、第２グループのユーザデバイスは、第１グループのユーザデバイスを含む；第１の基準信号と共通基準信号を送信するように構成された送信モジュールと；を含む。
【００２８】
別の態様では、本開示は、通信システムにおいて使用するための装置に関し、該装置は、時間周波数リソース領域と、第１の基準信号を搬送する、時間−周波数リソース領域内に含まれる時間−周波数リソースエレメントの第１サブセットとを選択するように構成された基準信号パターン選択モジュールと、ここで、第１サブセットの時間−周波数リソースエレメントは、チャネル推定のために時間−周波数リソース領域上に第１の基準信号パターンを定義する；第１グループのユーザデバイスに対して第１の基準信号を送信するように構成された送信モジュールと；を含む。
【００２９】
別の態様では、本開示は、通信システムにおける信号受信のための方法に関し、該方法は、１つのグループのユーザデバイス特有の第１の基準信号を、ユーザデバイスにおいて受信することと、該ユーザデバイス特有の第２の基準信号を、該ユーザデバイスにおいて受信することと、少なくとも第１の基準信号と第２の基準信号とに基づいてチャネル推定値を導出することと、を含む。
【００３０】
該方法は、共通基準信号を、該ユーザデバイスにおいて受信することをさらに含むことができ、ここにおいて、チャネル推定値を導出することは、第１の基準信号、第２の基準信号、および共通基準信号に少なくとも部分的に基づいてチャネル推定値を導出することを含む。第１の基準信号は、時間−周波数リソース領域内に含まれる時間−周波数リソースエレメントの第１サブセットによって搬送されることができ、第１サブセットの時間−周波数リソースエレメントは、時間−周波数リソース領域上に第１の基準信号パターンを定義し、第２の基準信号は、時間−周波数リソース領域内に含まれる時間−周波数リソースエレメントの第２サブセットによって搬送され、第２サブセットの時間−周波数リソースエレメントは、時間−周波数リソース領域上に第２の基準信号パターンを定義し、第２の基準信号パターンは、第１の基準信号パターンとは異なる。
【００３１】
代替的に、第１の基準信号は、時間−周波数リソース領域内に含まれる時間−周波数リソースエレメントの第１サブセットによって搬送されることができ、第１サブセットの時間−周波数リソースエレメントは、時間−周波数リソース領域上に第１の基準信号パターンを定義し、第２の基準信号は、時間周波数リソース領域内に含まれる時間−周波数リソースエレメントの第２サブセットによって搬送され、第２サブセットの時間−周波数リソースエレメントは、時間−周波数リソース領域上に第２の基準信号パターンを定義し、共通基準信号は、時間−周波数リソース領域内に含まれる時間−周波数リソースエレメントの第３サブセットによって搬送され、第３サブセットの時間−周波数リソースエレメントは、時間−周波数リソース領域上に第３の基準信号パターンを定義し、第１の基準信号パターン、第２の基準信号パターン、および第３の基準信号パターンは、異なる信号パターンを備える。
【００３２】
該方法は、該ユーザデバイスにおいてデータ信号を受信することと、チャネル推定値に少なくとも部分的に基づいてデータ信号を復調することと、をさらに含むことができる。該方法は、チャネル推定信号を受信すること、をさらに含み、該チャネル推定信号は、第１グループのユーザデバイスと関連づけられたチャネルを推定することに使用できる情報を含み、ここにおいて、チャネル推定値を導出することは、チャネル推定信号にさらに基づいている。情報は、基準信号重み付けデータを含むことができる。基準信号重み付けデータは、第１の基準信号と第２の基準信号と関連づけられることができる。
【００３３】
第１の基準信号は、システムパラメータに少なくとも部分的に基づくことができる。システムパラメータはランクであってもよい。システムパラメータは、チャネル条件または特性であることができる。チャネル条件は、チャネルの時間選択性であることができる。チャネル条件は、チャネルの周波数選択性であることができる。
【００３４】
第２の基準信号は、システムパラメータに少なくとも部分的に基づくことができる。システムパラメータはランクであってもよい。システムパラメータは、チャネル条件であることができる。チャネル条件は、チャネルの時間選択性であることができる。チャネル条件は、チャネルの周波数選択性であることができる。対応する装置、手段、および／またはコンピュータ可読媒体は、方法を実装するために提供されることができる。
【００３５】
別の態様では、本開示は、通信システムにおいて使用するための装置に関し、該装置は、１つのグループのユーザデバイス特有の第１の基準信号と、ユーザデバイス特有の第２の基準信号とを受信するように構成された受信機モジュールと、少なくとも第１の基準信号と第２の基準信号とに基づいてチャネル推定値を導出するように構成されたチャネル推定モジュールと、を含む。
【００３６】
別の態様では、本開示は、コンピュータ可読媒体を備えるコンピュータプログラムプロダクトに関し、コンピュータ可読媒体は、コンピュータに、第１グループのユーザデバイス特有の第１の基準信号を送信させ、ユーザデバイスの第２グループに対して共通基準信号を送信させるためのコードを含み、ここにおいて、ユーザデバイスの第２グループは、ユーザデバイスの第１グループを含む。
【００３７】
別の態様では、本開示は、コンピュータ可読媒体を備えるコンピュータプログラムプロダクトに関し、コンピュータ可読媒体は、コンピュータに、時間−周波数リソース領域と、第１の基準信号を搬送する、時間−周波数リソース領域内に含まれる時間−周波数リソースエレメントの第１サブセットとを選択させるためのコードと、時間−周波数リソースエレメントの第１サブセットは、チャネル推定のために時間−周波数リソース領域上に第１の基準信号パターンを定義する；第１グループのユーザデバイスに対して第１の基準信号を送信させるためのコードと；を含む。
【００３８】
別の態様では、本開示は、コンピュータ可読媒体を備えるコンピュータプログラムプロダクトに関し、コンピュータ可読媒体は、コンピュータに、1つのグループのユーザデバイス特有の第１の基準信号を、ユーザデバイスにおいて受信させ、該ユーザデバイス特有の第２の基準信号を、該ユーザデバイスにおいて受信させ、少なくとも第１の基準信号と第２の基準信号とに基づいてチャネル推定値を導出させるためのコードを含む。
【００３９】
様々な実施形態では、ここにおいて説明される技法および装置は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワーク、のような無線通信ネットワークと他の通信ネットワークに使用されることができる。ここに説明されるように、用語「ネットワーク」と「システム」は相互に交換可能に使用される。
【００４０】
ＣＤＭＡネットワークは、ユニバーサル地上ブロードキャストアクセス（ＵＴＲＡ）、ｃｄｍａ２０００および同様なもののような無線技術を実装することができる。ＵＴＲＡは、広域ＣＤＭＡ（Ｗ−ＣＤＭＡ）および低チップレート（ＬＣＲ）を含む。さらに、ｃｄｍａ２０００は、ＩＳ−２０００、ＩＳ−９５、およびＩＳ−８５６標準規格をカバーする。ＴＤＭＡネットワークは、モバイル通信のためのグローバルシステム（ＧＳＭ（登録商標））のような無線技術を実装することができる。
【００４１】
ＯＦＤＭＡネットワークは、発展型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭおよび同様なもののような無線技術を実装することができる。ＵＴＲＡ、Ｅ−ＵＴＲＡ、およびＧＳＭは、ユニバーサルモバイルテレコミュニケーションシステム（ＵＭＴＳ）の一部である。具体的には、ロングタームエボリューション（ＬＴＥ）は、Ｅ−ＵＴＲＡを使用するＵＭＴＳのアップカミングリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）という名称の団体から提供された文書の中で説明され、ｃｄｍａ２０００は、「第３世代パートナーシッププロジェクト２」（３ＧＰＰ２）という名称の団体からの文書の中で説明されている。これらの様々な無線技術および規格は、当技術分野において知られている、または、展開されている。明瞭にするため、装置および技法のある態様は、ＬＴＥについて後述しており、ＬＴＥ用語が下記の説明の多くに使用されている。しかしながら、本明細書は、ＬＴＥアプリケーションに限定されるように意図されていない。したがって、ここにおいて説明される装置および方法が様々な他の通信システムおよびアプリケーションに対して適用されうるということは当業者にとって明らかであろう。
【００４２】
単一キャリア変調と周波数ドメインイコライゼーションを使用する、単一キャリア周波数分割多元接続(ＳＣ−ＦＤＭＡ)は、対象の一つの通信技法(one communications technique of interest)である。ＳＣ−ＦＤＭＡは、ＯＦＤＭＡシステムと同様な性能および実質的には同じ全体的な複雑さを有する、しかし、ＳＣ−ＦＤＭＡ信号は、その固有の単一キャリア構造から、より低いピーク対平均電力比（ＰＡＰＲ）を有する。結果、ＳＣ−ＦＤＭＡは、近年大いに注目を浴びており、特に、送信電力効率の観点からより低いＰＡＰＲがモバイル端末に大いに利益を与えるアップリンク通信が注目を浴びている。ＳＣ−ＦＤＭＡの使用は、今のところ、３ＧＰＰロングタームエボリューション（ＬＴＥ）またはＥ−ＵＴＲＡにおけるアップリンク多元接続スキームのための動作前提である。
【００４３】
無線通信システムにおける論理チャネルは、制御チャネルとトラヒックチャネルとに分類される。論理制御チャネルは、システム制御情報をブロードキャストするためのダウンリンク（ＤＬ）チャネルであるブロードキャスト制御チャネル（ＢＣＣＨ）、ページング情報をトランスファするＤＬチャネルであるページング制御チャネル（ＰＣＣＨ）、マルチメディアブロードキャスト・マルチキャストサービス（ＭＢＭＳ：Multimedia Broadcast and Multimedia Service）スケジューリングおよび１つまたはいくつかのＭＴＣＨについての制御情報を送信するために使用されるポイント・ツー・マルチポイントのＤＬチャネルであるマルチキャスト制御チャネル（ＭＣＣＨ）を備える。一般的に、無線リソース制御（ＲＲＣ）接続を確立した後で、このチャネルはＭＢＭＳを受信するＵＥによってのみ使用される。専用制御チャネル（ＤＣＣＨ）は、専用制御情報を送信するポイント・ツー・ポイントの双方向チャネルであり、ＲＲＣ接続を有するＵＥによって使用される。
【００４４】
論理トラヒックチャネルは、ポイント・ツー・ポイントの双方向チャネルであり、ユーザ情報の転送のために１つのＵＥに専有される専用トラヒックチャネル（ＤＴＣＨ）と、トラヒックデータを送信するためのポイント・ツー・マルチポイントＤＬチャネルのためのマルチキャストトラヒックチャネル（ＭＴＣＨ）と、を備える。
【００４５】
トランスポートチャネルは、ダウンリンク（ＤＬ）とアップリンク（ＵＬ）へ分類されることができる。ＤＬトランスポートチャネルは、ブロードキャストチャネル（ＢＣＨ）、ダウンリンク共有データチャネル（ＤＬ−ＳＤＣＨ）、マルチキャストチャネル（ＭＣＨ）、およびページングチャネル（ＰＣＨ）を備える。ＰＣＨは、（ＤＲＸサイクルがＵＥに対してネットワークによって示されるとき）ＵＥの電力節約のためのサポートに使用され、全セルにわたってブロードキャストされ、そして、他の制御／トラヒックチャネルに使用されることができるＰＨＹリソースにマッピングされる。ＵＬトランスポートチャネルは、ランダムアクセスチャネル（ＲＡＣＨ）、リクエストチャネル（ＲＥＱＣＨ）、アップリンク共有データチャネル（ＵＬ−ＳＤＣＨ）、および複数のＰＨＹチャネルを備える。ＰＨＹチャネルは、１セットのＤＬチャネルとＵＬチャネルを備える。
【００４６】
さらに、ＤＬ ＰＨＹチャネルは下記を備える：
共通パイロットチャネル（ＣＰＩＣＨ：Common Pilot Channel）
同期チャネル（ＳＣＨ：Synchronization Channel）
共通制御チャネル（ＣＣＣＨ：Common Control Channel）
共有ＤＬ制御チャネル（ＳＤＣＣＨ：Shared DL Control Channel）
マルチキャスト制御チャネル（ＭＣＣＨ：Multicast Control Channel）
共有ＵＬ割り当てチャネル（ＳＵＡＣＨ：Shared UL Assignment Channel）
アクナレッジメントチャネル（ＡＣＫＣＨ：Acknowledgement Channel）
ＤＬ物理共有データチャネル（ＤＬ−ＰＳＤＣＨ：DL Physical Shared Data Channel）
ＵＬ電力制御チャネル（ＵＰＣＣＨ：UL Power Control Channel）
ページングインジケータチャネル（ＰＩＣＨ：Paging Indicator Channel）
ロードインジケータチャネル（ＬＩＣＨ：Load Indicator Channel）
ＵＬ ＰＨＹチャネルは、下記を備えることができる。
【００４７】
物理ランダムアクセスチャネル（ＰＲＡＣＨ：Physical Random Access Channel）
チャネル品質インジケータチャネル（ＣＱＩＣＨ：Channel Quality Indicator Channel）
アクナレッジメントチャネル（ＡＣＫＣＨ：Acknowledgement Channel）
アンテナサブセットインジケータチャネル（ＡＳＩＣＨ：Antenna Subset Indicator Channel）
共有リクエストチャネル（ＳＲＥＱＣＨ：Shared Request Channel）
ＵＬ物理共有データチャネル（ＵＬ−ＰＳＤＣＨ：UL Physical Shared Data Channel）
ブロードバンドパイロットチャネル（ＢＰＩＣＨ：Broadband Pilot Channel）
用語「例示的な(exemplary)」は、「例(example)、インスタンス(instance)、または例証(illustration)として機能していること」を意味するように、ここでは使用されている。「例示的(exemplary)」としてここに説明されるいずれの実施形態も、他の実施形態よりも好まれるまたは有利であると必ずしも解釈されない。
【００４８】
様々な実施形態を説明するために、下記の用語および略語がここにおいて使用されることができる。
【００４９】
AM            アクノレッジモード（Acknowledged Mode）
AMD          アクノレッジモードデータ（Acknowledged Mode Data）
ARQ          自動繰り返しリクエスト（Automatic Repeat Request）
BCCH        ブロードキャスト制御チャネル（Broadcast Control Channel）
BCH          ブロードキャストチャネル（Broadcast Channel）
C-            制御の（Control-）
CCCH          共通制御チャネル（Common Control Channel）
CCH            制御チャネル（Control Channel）
CCTrCH      符号化された合成トランスポートチャネル（Coded Composite Transport Channel）
CP            サイクリックプリフィックス（Cyclic Prefix）
CRC          サイクリック冗長性チェック（Cyclic Redundancy Check）
CTCH        共通トラヒックチャネル（Common Traffic Channel）
DCCH        専用制御チャネル（Dedicated Control Channel）
DCH        専用チャネル（Dedicated Channel）
DL          ダウンリンク（DownLink）
DSCH        ダウンリンク共有チャネル（Downlink Shared Channel）
DTCH        専用トラヒックチャネル（Dedicated Traffic Channel）
FACH        順方向リンクアクセスチャネル（Forward link Access Channel）
FDD          周波数分割デュプレクス（Frequency Division Duplex）
L1          層１（物理層）（Layer 1 (physical layer)）
L2          層２（データリンク層）（Layer 2 (data link layer))
L3          層３（ネットワーク層）（Layer 3 (network layer)）
LI          長さインジケータ（Length Indicator）
LSB        最小位ビット（Least Significant Bit）
MAC        媒体アクセス制御（Medium Access Control）
MBMS        マルチメディアブロードキャスト・マルチキャストサービス（Multimedia Broadcast Multicast Service）
MCCH        ＭＢＭＳポイント・ツー・マルチポイント制御チャネル（MBMS Point-to-multipoint Control Channel）
MRW        移動受信ウィンドウ（Move Receiving Window）
MSB        最大位ビット（Most Significant Bit）
MSCH        ＭＢＭＳ ポイント・ツー・マルチポイントスケジューリングチャネル（MBMS  Point-to-multipoint Scheduling Channel）
MTCH        ＭＢＭＳ ポイント・ツー・マルチポイントトラヒックチャネル（MBMS  Point-to-multipoint Traffic Channel）
PCCH        ページング制御チャネル（Paging Control Channel）
PCH        ページングチャネル（Paging CHannel）
PDU        プロトコルデータユニット（Protocol Data Unit）
PHY        物理層（PHYsical layer）
PhyCH      物理チャネル（Physical Channels）
RACH        ランダムアクセスチャネル（Random Access Channel）
RLC        無線リンク制御（Radio Link Control）
RRC        無線リソース制御（Radio Resource Control）
SAP        サービスアクセスポイント（Service Access Point）
SDU        サービスデータユニット（Service Data Unit）
SHCCH      共有チャネル制御チャネル（SHared channel Control Channel）
SN        シーケンス番号（Sequence Number）
SUFI      スーパーフィールド（SUper FIeld）
TCH        トラヒックチャネル（Traffic Channel）
TDD        時分割デュプレクス（Time Division Duplex）
TFI        トランスポートフォーマットインジケータ（Transport Format Indicator）
TM          トランスパレントモード（Transparent Mode）
TMD        トランスパレントモードデータ（Transparent Mode Data）
TTI        伝送時間インターバル（Transmission Time Interval）
U-          ユーザの（User-）
UE          ユーザ機器（User Equipment）
UL          アップリンク（UpLink）
UM          アクナレッジされていないモード（Unacknowledged Mode）
UMD          アクナレッジされていないモードデータ（Unacknowledged Mode Data）
UMTS        ユニバーサルモバイルテレコミュニケーションシステム（Universal Mobile Telecommunications System）
UTRA        ＵＭＴＳ地上無線アクセス（UMTS Terrestrial Radio Access）
UTRAN        ＵＭＴＳ地上無線アクセスネットワーク（UMTS Terrestrial Radio Access Network）
MBSFN        マルチキャストブロードキャスト単一周波数ネットワーク(Multicast broadcast single frequency network)
MCE          ＭＢＭＳ調整エンティティ（MBMS coordinating entity）
MCH          マルチキャストチャネル（Multicast channel）
DL-SCH        ダウンリンク共有チャネル（Downlink shared channel）
MSCH          ＭＢＭＳ制御チャネル（MBMS control channel）
PDCCH        物理ダウンリンク制御チャネル（Physical downlink control channel）
PDSCH        物理ダウンリンク共有チャネル（Physical downlink shared channel）
ＭＩＭＯシステムは、データ送信のために、複数の（ＮT）送信アンテナと複数の（ＮR）受信アンテナを利用する。ＮT個の送信アンテナとＮR個の受信アンテナによって形成されるＭＩＭＯチャネルは、ＮS個の独立チャネルへと分解されることができ、それらは、空間チャネルとも呼ばれる。線形受信機が使用される場合の最大空間多重化ＮSは、ｍｉｎ（ＮT，ＮR）であり、ＮS個の独立チャネルの各々は一次元に対応する。これは、スペクトルの効率にＮSの増大をもたらす。ＭＩＭＯシステムは、複数の送信および受信アンテナによって生成されたさらなる次元(dimensionalities)が利用される場合には、改良される性能(例、より高いスループットおよび/またはより高い信頼性)を提供することができる。特別（special）の次元は、ランクの観点から説明されることができる。
【００５０】
ＭＩＭＯシステムは、時分割デュプレクス（ＴＤＤ）と周波数分割デュプレクス（ＦＤＤ）の実装をサポートすることができる。ＴＤＤシステムでは、順方向リンクおよび逆方向リンク送信は同じ周波数領域上を使用するので、相互主義は、逆方向リンクチャネルからの順方向リンクチャネルの推定を可能にする。このことは、複数のアンテナがアクセスポイントで利用可能であるとき、アクセスポイントが順方向リンク上で送信ビームフォーミング利得を抽出することを可能にする。
【００５１】
システムの設計は、ビームフォーミングおよび他の機能を容易にするためにダウンリンクおよびアップリンクのための様々な時間−周波数基準信号をサポートすることができる。基準信号は既知データに基づいて生成された信号であり、パイロット、プリアンブル、トレーニング信号、サウンディング信号および同様なものとも呼ばれることができる。基準信号は、チャネル推定、コヒーレント復調、チャネル品質測定、信号強度測定、および同様なもののような様々な目的のために受信機によって使用されることができる。
【００５２】
３ＧＰＰ仕様の３６２１１−９００は、５．５節において、ＰＵＳＣＨまたはＰＵＣＣＨの送信と関連づけられた復調のための特定の基準信号と、ＰＵＳＣＨまたはＰＵＣＣＨの送信と関連づけられていないサウンディングとを定義する。例えば、表１は、ダウンリンクとアップリンク上で送信されることができるＬＴＥ実装のためのいくつかの基準信号をリストアップし、各基準信号について短い説明を提供する。セル特有の基準信号はまた、共通パイロット、ブロードバンドパイロット、および同様なものとも呼ばれることができる。ＵＥ特有の基準信号はまた、専用基準信号(dedicated reference signal)とも呼ばれることができる。
【表１】
0005420752.tif 000002
【００５３】
いくつかの実装では、システムは、時分割二重（ＴＤＤ：time division duplexing）を使用することができる。ＴＤＤの場合、ダウンリンクとアップリンクは、同じ周波数スペクトラムまたはチャネルを共有し、ダウンリンクおよびアップリンクの送信は、同じ周波数スペクトラム上で送信される。したがって、ダウンリンクチャネル応答は、アップリンクチャネル応答と相関される。相互主義は、ダウンリンクチャネルがアップリンクを介して送信された送信に基づいて推定されることを可能にする。これらのアップリンク送信は、基準信号またはアップリンク制御チャネル(復調後、基準シンボルとして使用されることができる)であってもよい。アップリンク送信は、複数のアンテナを介して空間選択チャネルの推定を可能にする。
【００５４】
ＬＴＥ実装では、直交周波数分割多重化は、ダウンリンクのために、すなわち基地局、アクセスポイントまたはｅＮｏｄｅＢから端末またはＵＥへと、使用される。ＯＦＤＭの使用は、スペクトラムフレキシビリティについてのＬＴＥ要件を満たし、高いピークレートを用いた非常に幅広いキャリアについてのコスト効率の高い解法を可能にし、且つ、定着している技術である、例えばＯＦＤＭは、ＩＥＥＥ８０２．１１ａ／ｇ、８０２．１６、ＨＩＰＥＲＬＡＮ−２、ＤＶＢ、およびＤＡＢのような標準規格において使用される。
【００５５】
時間−周波数物理リソースブロック（簡略化のため、ここではリソースブロックまたは「ＲＢ］と示す）は、データを転送のために割り当てられるトランスポートキャリア（例、サブキャリア）の複数のグループまたはインターバルとしてＯＦＤＭシステムにおいて定義される。ＲＢは、時間および周波数期間上に定義される。ＬＴＥ実装における例示的なＲＢは、図３で図示される。リソースブロックは、スロットにおける時間および周波数のインデクスによって定義される時間−周波数リソースエレメント（ここでは、簡略のためリソースエレメントまたは「ＲＥ」と示す）から成る。ＬＴＥ ＲＢおよびＲＥのさらなる詳細は、３ＧＰＰ ＴＳ ３６．２１１で説明される。
【００５６】
ＵＭＴＳ ＬＴＥは、２０ＭＨｚから１．４ＭＨｚへとスケーラブルなキャリア帯域幅をサポートする。ＬＴＥでは、ＲＢは、サブキャリア帯域幅が１５ｋＨｚであるときには１２サブキャリア、または、サブキャリア帯域幅が７．５ｋＨｚであるときには２４サブキャリア、として定義される。例示的な実装では、時間ドメインにおいて、１０ｍｓ長の定義された無線フレームがあり、この無線フレームは1０個のサブフレームからなり、各サブフレームは１ｍｓである。各サブフレームは２スロットから成り、各スロットは、０．５ｍｓである。この場合の周波数ドメインにおけるサブキャリア間隔は、１５ｋＨｚである。（１スロット当たり）全部でこれら１２個のサブキャリアがＲＢを構成するので、この実装では、１リソースブロックは１８０ｋＨｚである。６リソースブロックは１．４ＭＨｚのキャリアに適合し、１００リソースブロックは２０ＭＨｚのキャリアに適合する。
【００５７】
ダウンリンクでは、上記にリストアップされるように、一般的に多数の物理チャネルがある。具体的には、ＰＤＣＣＨは、制御を送信するために使用され、ａｃｋ／ｎａｃｋを送信するためのＰＨＩＣＨ、多数の制御シンボルを指定するためのＰＣＦＩＣＨ、データ送信のための物理ダウンリンク共有チャネル（ＰＤＳＣＨ）、単一周波数ネットワークを使用するブロードキャスト送信のための物理マルチキャストチャネル（ＰＭＣＨ）、そして、セル内の重要なシステム情報を送信するための物理ブロードキャストチャネル（ＰＢＣＨ）がある。ＬＴＥにおけるＰＤＳＣＨ上のサポートされた変調フォーマットは、ＱＰＳＫ、１６ＱＡＭ、および６４ＱＡＭである。
【００５８】
アップリンクでは、３つの物理チャネルがある。物理ランダムアクセス制御（ＰＲＡＣＨ）はイニシャルアクセスにのみ使用されるが、ＵＥがアップリンク同期されないときには、データは、物理アップリンク共有チャネル（ＰＵＳＣＨ）上で送信される。ＵＥについてアップリンク上で送信されるデータがない場合には、制御情報が物理アップリンク制御チャネル（ＰＵＣＣＨ）上で送信されるであろう。アップリンクデータチャネル上でのサポートされる変調フォーマットは、ＱＰＳＫ、１６ＱＡＭ、および６４ＱＡＭである。
【００５９】
バーチャルＭＩＭＯ／空間分割多元接続（ＳＤＭＡ）が導入される場合には、アップリンク方向におけるデータレートは、基地局におけるアンテナの数に依存して増大する。この技術を用いて、１より多い数のモバイルは、同じリソースを再使用することができる。ＭＩＭＯオペレーションに関して、１ユーザのデータスループットを高めるためのシングルユーザＭＩＭＯと、セルスループットを高めるためのマルチユーザＭＩＭＯとが区別がされる。
【００６０】
多元接続の無線通信システムを図示する図１を次に参照する。様々な実装では、図１のＡＰ１００のようなアクセスポイントはアクセス端末と通信するために使用される固定局であってもよく、アクセスポイント、ｅＮｏｄｅＢ、ホームｅＮｏｄｅＢ（ＨｅＮＢ）または他の用語で呼ばれることができる。図１のＡＴ１１６またはＡＴ１２２のようなアクセス端末は、アクセス端末、ユーザ機器（ＵＥ）、無線通信デバイス、端末、アクセス端末、または他の用語で呼ばれることができる。ＡＴ１１６および１２２とＵＥ１００は、ここに説明されるような実施形態の様々な態様を実装するように構成されることができる。
【００６１】
図１で示されるように、アクセスポイント（ＡＰ）１００は、複数のアンテナグループを含み、１つのグループはアンテナ１０４および１０６を含み、別のグループはアンテナ１０８および１１０を含み、追加グループはアンテナ１１２および１１４を含む。図１では、各アンテナグループについて２つのアンテナのみが示されているが、より多くのまたはより少数のアンテナが、様々な実施形態において、各アンテナグループについて使用されることができる。
【００６２】
アクセス端末（ＡＴ）１１６はアンテナ１１２および１１４と通信しており、アンテナ１１２および１１４は、順方向リンク１２０上でＡＴ１１６に対して情報を送信し、逆方向リンク１１８上でＡＴ１１６から情報を受信する。アクセス端末（ＡＴ）１２２は、アンテナ１０６および１０８と通信しており、アンテナ１０６および１０８は、順方向リンク１２６上でＡＴ１２２に対して情報を送信し、逆方向リンク１２４上でＡＴ１２２から情報を受信する。周波数分割デュプレクス（ＦＤＤ）システムでは、通信リンク１１８、１２０、１２４、および１２６は、ＡＰ１００とＡＴ１１６および１２２との間の通信のために異なる周波数を使用することができる。例えば、順方向リンク１２０は、逆方向リンク１１８によって使用されるものとは異なる周波数を使用することができる。同様に、リンク１２４および１２６は、互いにおよび／またはリンク１１８および１２０とは異なる周波数を使用することができる。
【００６３】
各グループのアンテナ、および／または、それらが通信するように設計されるエリアは、しばしば、アクセスポイントのセクタと呼ばれることができる。説明される実施形態では、アンテナグループは、それぞれ、ＡＰ１００によってカバーされるエリアの指定されたセクタにおいてアクセス端末と通信するように設計され構成される。例えば、アンテナ１１２および１１４を含んでいるアンテナグループは、図１のセクタ１として指定されたセクタに割り当てられ、アンテナ１０６および１０８を含んでいるアンテナグループは、セクタ２に割り当てられることができる。
【００６４】
順方向リンク１２０および１２６上の通信において、アクセスポイント１００の送信アンテナは、異なるＡＴ１１６および１２２についての順方向リンクの信号対雑音比と他のもの（図示されず）を改善するために、ビームフォーミングを利用するように構成されることができる。また、一般的な実装では、そのカバレッジエリア全体にランダムに分散された複数のアクセス端末に対して送信するためにビームフォーミングを使用しているアクセスポイントは、一般に、その複数のアクセス端末全てに対して単一アンテナを通じて送信しているアクセスポイントよりも、近隣セル内のアクセス端末に対してより少ない干渉を引き起こす。送信信号のプレコーディングは、ビームフォーミングを容易にするために使用される。
【００６５】
例示的なＭＩＭＯシステム２００の送信機システム２１０（すなわちアクセスポイントまたはＡＰ）と受信機システム２５０（すなわち、アクセス端末またはＡＴ）の実施形態のブロック図を示す図２を次に参照する。これらのシステムは、図１のＡＰ１００、ＡＴ１１６および１２２に対応することができる。ここにおいて説明されるような様々な基準信号構成の生成および使用は、様々なＭＩＭＯシステム実装において有利な点を提供することができる。基準信号およびチャネル推定信号は、ＡＴ２５０への送信のために、ＡＰ２１０の１つまたは複数のモジュールにおいて生成されることができる。ＡＴ２５０は、基準信号を受信して、チャネル特性を推定するおよび／または受信データを復調する、１つまたは複数のモジュールを含むことができる。一実施形態では、ＡＰ２１０は、ここにおいて説明されるような基準信号を生成または選択することができる。このことは、プロセッサ２１４、２３０、およびメモリ２３２のようなＡＰ２１０の１つまたは複数のコンポーネント（または図示されていないコンポーネント）を含んでいる基準信号選択モジュールにおいて行われることができる。ＡＰ２１０はまた、送信モジュール２２４のようなＡＰ２１０の１つまたは複数のコンポーネント（または図示されていない他のコンポーネント）を含む送信モジュールを含むことができる。ＡＰ２１０はまた、ＡＰ２１０の１つまたは複数のコンポーネント（または図示されていない他のコンポーネント）を含む基準信号パターン生成モジュールを含むことができる。同様に、ＡＴ２５０は、受信機２５４のようなＡＴ２５０の１つまたは複数のコンポーネント（または図示されていない他のコンポーネント）を含んでいる受信モジュールを含むことができる。ＡＴ２５０はまた、プロセッサ２６０および２７０とメモリ２７２のようなＡＴ２５０の１つまたは複数のコンポーネント（または図示されていない他のコンポーネント）を含んでいるチャネル推定モジュールを含むことができる。一実施形態では、ＡＴ２５０で受信される複数の基準信号はチャネル特性を推定するために処理される。ＡＰ２１０から提供されるチャネル推定信号もまたＡＴ２５０で受信され、当該チャネル推定信号は、チャネル特性を推定するために、複数の基準信号を重み付けするために使用される。
【００６６】
メモリ２３２および２７２は、ここに説明されるようなプロセスを実装するために、１つまたは複数のプロセッサで実行されるコンピュータコードを記憶するために使用される。
【００６７】
オペレーションでは、送信機システム２１０において、多数のデータストリームについてのトラヒックデータは、データソース２１２から送信（ＴＸ）データプロセッサ２１４へと提供され、それは処理され、１つまたは複数の受信機システム２５０に対して送信される。
【００６８】
一実施形態では、各データストリームは、処理され、送信システム２１０のそれぞれの送信機サブシステム（送信機２２４1−２２４Ntとして図示される）で送信される。ＴＸデータプロセッサ２１４は、符号化データを提供するために、そのデータストリームについて選択された特定の符号化スキームに基づいて、各データストリームについてのトラヒックデータを受信し、フォーマットし、符号化し、そしてインタリーブする。具体的には、送信システム２１０は、特定の基準信号と基準信号パターンを決定し、そして、選択されたパターンで基準信号を含む送信信号を提供するように構成されることができる。
【００６９】
各データストリームについての符号化データは、ＯＦＤＭ技法を使用して、パイロットデータと多重化される。パイロットデータは、一般的には既知の方法で処理される既知データであり、チャネル応答を推定するために受信機システムで使用される。例えば、パイロットデータは、基準信号を備える。パイロットデータは、図２で示されるようなＴＸデータプロセッサ２１４に対して提供され、符号化されたデータと多重化される。各データストリームについての多重化パイロットおよび符号化データは、変調シンボルを提供するために、そのデータストリームについて選択された特定の変調スキーム（例、ＢＰＳＫ、ＱＰＳＫ、Ｍ−ＰＳＫ、Ｍ−ＱＡＭなど）に基づいて変調され（すなわち、シンボルマッピングされ）、そして、データおよびパイロットは、異なる変調スキームを使用して変調される。各データストリームについてのデータレート、符号化、および変調は、メモリ２３２または他のメモリまたは送信システム２５０の命令記憶媒体（図示せず）に記憶された命令に基づいて、プロセッサ２３０によって実行される命令によって決定される。
【００７０】
すべてのデータストリームについての変調シンボルはＴＸ ＭＩＭＯプロセッサ２２０へ提供され、そしてそれは、当該変調シンボルをさらに処理する（例、ＯＦＤＭ実装の場合）。ＴＸ ＭＩＭＯプロセッサ２２０は、Ｎt個の送信機（ＴＭＴＲ）２２２1〜２２２Ntに対してＮt個の変調シンボルストリームを提供する。様々なシンボルは、送信のために、関連づけられたＲＢにマッピングされる。
【００７１】
ある実施形態では、ＴＸ ＭＩＭＯプロセッサ２２０は、データストリームのシンボルに対して、シンボルが送信される１つまたは複数のアンテナに対応するビームフォーミング重みを適用する。このことは、基準信号によって提供された、または、基準信号に関連した、チャネル推定情報のような情報を使用することによって行われる。例えば、ｂｅａｍＢ＝ｔｒａｎｓｐｏｓｅ（［ｂ１ ｂ２．．ｂNt］）は、各送信アンテナに対応する１セットの重みから構成される。ビームに沿って送信することは、そのアンテナについてのビーム重みによってスケーリングされたすべてのアンテナに沿って変調シンボルｘを送信することに対応する。すなわち、アンテナｔ上で送信された信号は、ｂｔ*ｘ である。複数のビームが送信されるとき、１つのアンテナ上の送信信号は、異なるビームに対応する信号の和である。このことは、数学的にＢ１ｘ１＋Ｂ２ｘ２＋ＢＮSｘＮSとして表され、ここにおいて、ＮS個のビームが送信され、ｘｉはビームＢｉを使用して送信された変調シンボルである。様々な実装では、ビームは、多数の方法で選択されることができる。例えば、ビームは、ＵＥ２からのチャネルフィードバックに基づいて、および／または、ｅＮＢで利用可能なチャネルの知識に基づいて、選択されることができる。
【００７２】
各送信機のサブシステム２２２1〜２２２Ntは、それぞれのシンボルストリームを受信し処理して１以上のアナログ信号を提供し、アナログ信号をさらに調整し（例えば、増幅、フィルタリング、およびアップコンバートし）、ＭＩＭＯチャネル上の送信に適した変調信号を提供する。送信機２２２1〜２２２NtからのＮt変調信号は、それぞれ、Ｎt個のアンテナ２２４1〜２２４Ntから送信される。
【００７３】
受信機システム２５０で、送信された変調信号は、Ｎr個のアンテナ２５２1〜２５２Nrによって受信され、各アンテナ２５２からの受信信号は、それぞれの受信機（ＲＣＶＲ）２５４1〜２５２Nrに対して提供される。各受信機２５４は、それぞれの受信信号を調整し（例えば、フィルタリング、増幅、およびダウンコンバートし）、調整された信号をデジタル化してサンプルを提供し、さらに該サンプルを処理して、対応する「受信」シンボルストリームを提供する。
【００７４】
ＲＸデータプロセッサ２６０は、Ｎs個の送信シンボルストリームの推定値を提供するためにＮs個の「検出」シンボルストリームを提供するために特定の受信機処理技術に基づいて、Ｎr個の受信機２５４1〜２５２NrからＮr個の受信シンボルストリームを受信し処理する。ＲＸデータプロセッサ２６０は、各検出されたシンボルストリームを復調し、デインタリーブし、復号して、データストリームについてのトラヒックデータを回復する。ＲＸデータプロセッサ２６０による処理は、一般的に、送信機システム２１０において、ＴＸ ＭＩＭＯプロセッサ２２０とＴＸデータプロセッサ２１４によって実行されるものと相補的である。
【００７５】
プロセッサ２７０は、下記でさらに説明されるように、使用するためのプレコーディングマトリクスを周期的に決定する。プロセッサ２７０は、マトリクスインデックス部分とランク値部分とを備える逆方向リンクメッセージを形成する。様々な実施形態では、逆方向リンクメッセージは、通信リンクおよび／または受信されるデータストリームに関する様々なタイプの情報を備える。逆方向リンクメッセージはＴＸデータプロセッサ２３８によって処理され、ＴＸデータプロセッサ２３８はさらにデータソース２３６から多数のデータストリームについてのトラヒックデータを受信し、そしてそれはその後で、変調器２８０によって変調され、送信機２５４1〜２５４Nrによって調整され、送信機システム２１０に返送される。
【００７６】
送信機システム２１０では、受信機システム２５０からの変調信号は、アンテナ２２４によって受信され、受信機２２２によって調整され、復調器２４０によって復調され、ＲＸデータプロセッサ２４２によって処理されて、受信機システム２５０によって送信された逆方向リンクメッセージを抽出する。プロセッサ２３０は、ビームフォーミング重み付けを決定するためにどのプレコーディングマトリクスを使用するかを決定し、抽出されたメッセージを処理する。
【００７７】
一態様では、単一キャリア波形の低いＰＡＲ(例、任意の所与時間で、チャネルは周波数において連続しているまたは均一に間隔が空けられている)プロパティを保持するチャネル構造が使用されることができる。
【００７８】
別の態様では、基準信号は、１つまたは複数のリソースブロック（ＲＢ）と関連づけられる。いくつかの実装では、ＲＳは、２以上のＲＢと関連づけられ、そしてそれは、時間および／または周波数において連続していてもよい。
【００７９】
図３は、ＬＴＥ実装について定義されるようなリソースブロックの例示的な構成を図示する。特に、ＲＢは、タイムスロット内の複数のリソースエレメント（ＲＥ）から成る。示される例では、タイムスロットＴｓは、０．５ｍｓの持続時間を有し、７ＯＦＤＭシンボルを含む。ＲＢは、各々が１５ｋＨｚ帯域である１２サブキャリアを含む、よって、合計１８０ｋＨｚの帯域を有する。結果、例示的なＲＢは、１２×７の構成で８４個のＲＥを備える。
【００８０】
例示的な実施形態では、復調基準信号（簡潔のためＤＭ−ＲＳまたはＲＳとも表される）は、いくつかの実施形態では送信ノードからのシグナリングに沿って、データパケットによって経験されるチャネルの推定値を受信機が得ることを可能にする。ＤＭ−ＲＳは、様々な実装において、プレコードされるか、プレコードされない。受信機は、ダウンリンク送信においては単一のＵＥまたは１グループのＵＥのもの、また、アップリンクシナリオにおいては１つのノードＢまたは複数のノードＢのもの、である。
【００８１】
いくつかの実施形態では、ＤＭ−ＲＳはＵＥ特有でありうる（ここでは、ＵＥ−ＲＳまたはＵＥ特有のＲＳと呼ばれる）、また、ＵＥ特有の空間方向へ送信されうる。データの送信において同じ方向が使用される場合には、これらの方向の選択は、受信機にとってトランスペアレント（transparent）である。
【００８２】
物理リソースブロック（ＲＢ）４００について定義されるＵＥ特有の基準信号の詳細を図示する図４Ａを次に参照する。「Ｒｕ」として表わされる基準信号のトーンは、単一のＲＢ４００内のＲＥのパターンで定義される。図４Ａで図示される例示的なパターンでは、Ｒｕに対して割り付けられたこれらのリソースエレメント４１０の時間および周波数のスペーシングは、それぞれの時間および周波数エレメントに関するチャネル特性の決定を容易にし、そして、基準信号を欠く時間または周波数スロットについてのチャネルの補間を容易にするために構成される。したがって、使用される特定の基準信号パターンは、様々なシステムおよび／またはチャネル特性に基づいて生成または選択されることができる。例えば、時間または周波数のスペーシングにおけるより密度の高いパターンは、急速にチャネル変動するシステムにおいて選択されて、より頻繁に時間および／またはサブキャリアチャネル推定値を提供する（すなわち、チャネルの周波数および／または時間選択性に基づく）。より低い密度のパターンは、より高いデータレートおよび／または特定の必要とされるデータスループットを容易にするために使用される。一般に、より少ない時間／周波数の選択チャネルは、より多くの時間／周波数の選択チャネルよりも、基準信号パターンを生成するのにより少ないＲＥの使用ですむであろう。
【００８３】
さらに、特定の基準信号パターンは、オペレーションのランクのような他のシステムパラメータに基づいて選択されることができる。ＭＩＭＯ実装では、ＵＥは、異なる複数ランクに基づいてスループットを推定する。ＵＳは、共通のＲＳまたはＣＳＩ−ＲＳから得られたチャネル推定値を使用して、スループットの推定値を得ることができる。ＵＥは、最適なスループットを提供するためにランクをレポートすることができる。ＳＵ−ＭＩＭＯでは、ノードＢは、ＵＥについてのレポートされたランクを使用することができる。ＭＵ−ＭＩＭＯでは、ＵＥのペアの数(number of UEs paired)と、ノードＢで使用される全体的なランク(overall rank used at the Node B)は、システム内の複数のＵＥから提供された同様な情報に基づくことができる。基準信号パターンは、ランク選択に基づいて選択されることができる。一般に、より多くのストリームに対応するチャネル特性を推定する必要があるために、より高いランクが使用されるとき、基準信号パターンを定義するためにより多くのＲＥが使用されるであろう。しかしながら、異なるランクでサポートされるチャネル条件は異なることができ、そしてそれは、ＤＭ ＲＳの密度の選択に影響を与えることができる。
【００８４】
図４Ａは特定の基準信号パターンを図示しているが、図４Ａで図示される例は、限定ではなく説明という目的のために提供されているということ、そして、基準信号Ｒｕが存在するリソースエレメントの他のパターンは、様々な他の実装においてＲＢ４００内で提供されることができるということ、に留意されるべきである。
【００８５】
基準信号パターンはまた、単一のＲＢよりも大きいリソースエリアに及ぶように定義されることができる。例えば、基準信号パターンは、２以上のＲＢに及ぶように定義されることができる。いくつかの実装では、この複数のＲＢは、時間、周波数、または両方において連続でありうる。複数のリソースブロックに及んでいる基準信号パターンの例は、図４Ｂ〜４Ｅで図示される。図４Ｂは、周波数の連続するリソースブロックのペアの例を示し、当該ペアは、当該ペアに定義されるＵＥ特有の基準信号を有する。いくつかの実装では、基準信号パターンは、図４Ｂで示されるように複数のＲＢにわたって繰り返されることができる。あるいは、いくつかの実装では、パターンは、図４Ｃで示されるように、複数のＲＢにおける隣接するＲＢごとに異なっていてもよい。図４Ｄおよび４Ｅは、時間の連続する２つのリソースブロックについてのマルチブロックＵＥ特有基準信号パターンのさらなる例を図示する。図４Ｄでは、２つのリソースブロックの反復的なＵＥ特有基準信号パターンが図示される。ＤＭ−ＲＳパターンが複数のＲＢ（例えばＫ個のＲＢ）にわたって定義されるとき、このＤＭ−ＲＳパターンを使用してスケジュールされたＵＥは、Ｋ個のＲＢを有する複数のグループにスケジュールされる必要があること、そして、1グループ内のすべてのＲＢに対して同じになるようにプレコーディングが適用される（例えばビームが使用される）ことに留意されたい。複数のＲＢにわたってパターンを使用すること（複数のＲＢにわたるバンドリングとも呼ばれる）は、ＲＢ当たりのパイロット密度を縮小させて、チャネル推定値の同様な品質を得ることを可能にするが、上述のようなスケジューラ制約を追加することができる。一般に、異なる複数パターンが、異なる複数のバンドリングサイズに対し定義される。
【００８６】
いくつかの実装では、基準信号は定義されて、システム内のユーザのグループに対して提供されることができる。これは、「グループ−ＵＥ ＲＳ」、「グループ特有基準信号」あるいは「Ｒｇ」としてここに表される。この場合、グループ−ＵＥ ＲＳの関連情報（例えば、ロケーション、送信されるべき方向）は、存在するときには、意図されたＵＥのグループに対してシグナリングされることができる、または、それは、システム内のｅＮｏｄｅＢ（単数または複数）およびＵＥ（単数または複数）において既知の予め定義されたルールに基づくことができる。図４に関して説明される実装では、各ＵＥは、特有の基準信号および／またはそれに割り当てられた関連パターンを有する。代替的に、複数グループのＵＥに対して共有の基準信号を提供することによって、全体的なシステム性能を高めることができる。このアプローチは、干渉を最小限にしながら、グループ内のユーザのレートを最大化するためにビームを選択することを容易にすることができる。
【００８７】
図５Ａは、「Ｒｇ」として表されるグループ特有の基準信号を伝達するために複数のＲＥ５１０が使用される、リソースブロック（ＲＢ）５００の一例を図示する。この例では、Ｒｇは、特定のグループ特有パターンを形成するために、リソースブロック５００のリソースエレメントを使用して特定のインターバルで提供される。利用される特定のパターンは、様々なシステムおよび／またはチャネル特性に基づいて生成または選択される。例えば、時間または周波数のスペーシングにおけるより密度の高いパターンは、より頻繁に時間および／またはサブキャリアチャネル推定値を提供するために、システム内で急速に変動するチャネル特性で選択される。より密度が低いパターンは、データレートおよび／または必要とされるデータスループットをより高くするのを容易にするために使用される。さらに、特定のグループ特有の基準信号パターンは、オペレーションのランクのような他のシステムパラメータに基づいて選択される。
【００８８】
図５Ａは、特定のグループ特有の基準信号パターンを図示しているが、図５Ａで図示される例は、限定ではなく説明という目的のために提供されているということ、そして、ＲＢ５００内のリソースエレメントの他のパターンは、様々な他の実装においてグループ特有のリソース信号を伝達するために使用されることができるということ、に留意されたい。
【００８９】
グループ特有の基準信号パターンはまた、２以上のＲＢに及ぶように定義されることができる。いくつかの実装では、この複数のＲＢは、時間、周波数、または両方において連続であることができる。グループ特有の基準信号パターンの複数のリソースブロック実装の例は、図５Ｂ〜５Ｅで図示される。図５Ｂは、周波数の連続するリソースブロックのペアの例を示し、当該ペアは、当該ペアに定義されるＵＥ特有の基準信号を有する。いくつかの実装では、パターンは、図５Ｂで示されるように複数のＲＢにわたって繰り返すことができる。あるいは、いくつかの実装では、パターンは、図５Ｃで示されるように複数のＲＢにおいて、隣接しているＲＢごとに異なってもよい。図５Ｄおよび５Ｅは、時間の連続する２つのリソースブロックについてのマルチブロックグループ基準信号パターンのさらなる例を図示する。図５Ｄで、２つのリソースブロックの反復のグループ特有の基準信号パターンが図示される。図５Ｅは、２つのリソースブロックの非反復のグループ特有の基準信号パターンを図示する。
【００９０】
グループ特有の基準信号パターンを有する送信信号を提供するように構成されたシステム６００の実施形態を図示する図６を参照する。システム６００は、基地局またはｅＮｏｄｅＢ１００、そして、複数のハンドセットまたはＵＥ１１６を含む。これらは、図１で図示されるＵＥとｅＮｏｄｅＢに対応する。ｅＮｏｄｅＢ１００と通信しているＵＥ１１６の具体的な構成に基づいて、ｅＮｏｄｅＢ１００は、１つまたは複数のグループのＵＥを選択する。この選択は、ＵＥのロケーション、チャネル特性、データ要件、および／または、他のシステムパラメータに基づく。グループおよび関連づけられたグループエレメント（ＵＥ）の選択は、ｅＮｏｄｅＢ１１０に対するＵＥ１１６のロケーションの近接性に基づくことができる、または、スループット要件のような他の基準に基づくことができる。さらに、異なるグループは異なる多数のＵＥを含むことができる。
【００９１】
図６で図示される例示的なシステム６００では、グループ１、グループ２、およびグループ３と表される３つのグループが構成されている。グループ１は物理的に近接する３つのＵＥを含み、グループ２は２つのＵＥを含み、グループ３は物理的に近接しない２つのＵＥを含む。様々な実装では、様々な異なるエレメントの構成およびロケーションの配置(location arrangements)が使用されることができる。
【００９２】
システム６００では、ｅＮｏｄｅＢ１００は、様々なＵＥ１１６の能力、チャネル特性、データスループット要件、および／または、他のシステム特性およびパラメータと関連づけられた情報を受信することができる。これらは、複数グループのＵＥを割り付けること、そして、それぞれのグループとの通信に使用するためにグループ特有の基準信号を選択すること、に使用されることができる。この選択プロセスは、図５Ａ−５Ｅで図示されるように、リソースブロック内の、特定の基準信号シーケンスおよび／または特定の基準信号パターン、の選択を含むことができる。
【００９３】
基準信号パターンは１つまたは複数のシステムパターンに基づくことができ、様々な実装において異なる密度を含む。例えば、急速に変化するチャネル特性を有するシステムでは、より粒度の細かいチャネル推定値を容易にするために、より多くのリソースエレメントを利用するパターンを使用することが望ましい場合がある（したがって、より高い基準信号密度を提供する）。対照的に、チャネルが急速に変化しない場合には、低密度のパターンを使用することは、より高速のデータレートを容易にするか、または、必要最小限のデータスループットを保証するために使用される。一例として、パターンは、時間において２ルックス（またはＲＥ）に対して３ルックス（またはＲＥ）を含むことができる。パターンは、ＵＥスピードの知識（より高いスピードであれば時間において多くのルックスを要し、より低いスピードであれば時間においてより少ないルックスを要する）、および、ＵＥチャネルに見られる遅延拡散に基づいて、ｅＮＢにおいて選択されることができるであろう。より大きな遅延拡散は、一般に周波数においてより多くのルックスを要し、より低い遅延拡散は、周波数においてより少数のルックスを要するであろう。スピード（または、より一般的には、時間の変動の測定値であるドップラー拡散）および遅延拡散（周波数の変動の測定値）は、ｅＮＢにおいて推定されることができる。例えば、ドップラーの推定値と順方向リンクについての逆方向リンクチャネルの遅延拡散を使用する。それらは、ＵＥからのフィードバックレポートを通じて直接／間接に得られることができる。例えば、異なるサブバンドについてのＰＭＩレポートが非常に異なる場合には、チャネルは非常に周波数選択的である可能性がある。ＣＱＩレポートにおける違い、低スピードまたは高スピードを決定するために使用される。それらはまた、配置条件に基づいていてもよく、例えば、高速道路の近くでは、ＵＥの速度はより早い可能性があるので、それらのｅＮＢは、乗用車がゆっくり移動している市内のものとは異なるパターンを使用する。
【００９４】
グループ特有の基準信号を提供することに加え、いくつかの実装では、ｅＮｏｄｅＢ１００はまた、ＵＥ１１６に対して基準信号パターンと関連づけられたシグナリング情報を提供するように構成される。これは、例えば、ＵＥに対応する基準パターン、グループ基準パターンについての情報、および／または、基準信号が送信される１つまたは複数の方向を指定することによって行われる。この情報は、システム内の制御チャネルで送信される。
【００９５】
図６のシステム６００のようなグループ特有の基準信号を使用している構成において信号を提供するために、プロセス７００Ａの実施形態の詳細を図示する図７Ａを参照する。プロセス７００Ａは、ＵＥの追加または削除のようなシステム変更に応じて実行されることができる、および／または、様々なシステム実装において周期的または連続的に実行される。ステップ７１０Ａで、グループ特有の基準信号の送信に使用するためのリソースエレメントが選択される。これらのリソースエレメントは、ステップ７２０Ａにおいて、グループ特有の基準信号に使用するために、パターンへとグループ化される。
【００９６】
いくつかの実装では、グループ特有の基準信号パターンは、動的に構成されうるが、他の実装では、予め定義されるか、または、メモリで記憶される１グループまたは１セットのパターンから選択されてもよい。パターンは、一般的に、リソースブロック内の１セットのリソースエレメントの観点から定義される。上述されるように、このセットは様々なシステムパラメータおよび特性、例えばチャネル特性、送信ランク、データレート要件、そして、後述されるような他のパラメータおよび特性、に基づく。いくつかの実装では、グループ特有の基準信号パターンは、単一のリソースブロックにおよぶように定義される。あるいは、グループ特有の基準信号パターンは、２以上のリソースブロックに及ぶように定義される。リソースブロックは、時間、周波数、または両方において連続しうる。使用されるパターンに関する情報および基準信号を定義する関連情報は、ｅＮｏｄｅＢとＵＥとの間で動的に転送される、および／または、ｅＮｏｄｅＢおよびＵＥに既知の予め定義されたルールに基づく。
【００９７】
グループ特定の基準信号パターンを定義または選択すると、送信についての特定の基準信号が選ばれる。基準信号は、一般に、異なる複数ビームについての複数の基準信号から成る。ある実装は、各ＵＥについて異なるＲＳを使用し、ストリームに使用されるものと同じビームを使用してＵＥの各ストリームについて１つのＲＳを送信する。別のオプションは、「プレコードされていない(unprecoded)」ＲＳを送信することであり、ここにおいて、ＲＳは、例えば各送信アンテナについて固定ビーム（アンテナポート）に沿って送信される。ＵＥは、そのストリームをプレコードするために使用されるビーム(アンテナポートの線形結合(linear combination))について通知される。ＵＥは、場合によってはすべての送信されたＲＳとビーム情報を使用して、そのストリームに使用されるビーム方向に沿ってチャネルを推定する。上述されるように、選択された基準信号は、プレコードされても、プレコードされなくてもよい。プレコードされたおよびプレコードされない実装の例が、図１０と図１１にそれぞれ図示される。次に、グループ特有のパターンに基準信号を含む送信信号が生成される。送信信号は、制御データおよび／または他のデータを含む。ステップ７３０Ａで、グループ特有の基準信号は、特定グループを備えるＵＥに対して送信される。このことは、情報シグナリングより先に起こるか、情報シグナリングと同時に起こることを含む。
【００９８】
図７Ｂは、システム６００のようなｅＮｏｄｅＢによってＵＥグループが選択されることができる実装の詳細を図示する。ステップ７１０Ｂで、１つのグループに対して２以上のＵＥが選択される。このことは、上述されるような特性またはシステムパラメータに基づく。グループについての基準信号パターンは、ステップ７２０Ｂで選択される。このことは、図７Ａに関して上述されているように行われることができる。送信のためのデータは、ステップ７２０Ｂで提供される。データはプレコードされる。ステップ７３０Ｂで、データは、基準信号と組み合わされて、割り当てられた1つまたは複数のリソースブロックに設定される。いくつかの実装では、データは、プレコードされ、グループ特有の基準信号はプレコードされない。他の実装では、データおよび基準信号は結合され、結合されたデータはプレコードされる。ステップ７５４Ｂは、さらなるグループを設定するために含まれる。追加グループが設定される場合、１つまたは複数の追加グループの設定のために、プロセスがステップ７１０Ｂで繰り返す。追加グループが設定されない場合には、１つまたは複数の設定されたグループ内のＵＥに対して、信号が送信される。
【００９９】
いくつかの実装では、複数のタイプの基準信号の組み合わせが使用される。この複数の信号の組み合わせは、復調の間の改善されたチャネル推定を提供するために、または、他の目的のために使用される。例えば、ある実装では、受信機は、ＵＥ特有の信号とグループ特有の基準信号との組み合わせを使用する。他の組み合わせは、ＵＥ特有、グループ特有、および／またはセル特有の基準信号の組み合わせを含む。
【０１００】
いくつかの実装では、グループ特有の基準信号は、チャネル推定を実行するために、レガシ基準信号、例えばＬＴＥシステムでは共通ＲＳ（ＣＲＳ）および／またはユーザ特有のＲＳと組み合わせられることができる。ＣＲＳは、特定のｅＮｏｄｅＢと通信しているすべてのＵＥ、例えばセルまたはセクタにおけるすべてのＵＥに対して提供される。この構成では、異なる基準信号タイプによって観察されたチャネルからのデータによって経験されたチャネルを構築することに関する関連情報は、ＵＥに対するシグナリングによっておよび／またはシステムにおいて設定された予め定義されたルールによって決定される。
【０１０１】
様々な実装では、基準信号に使用される構造およびパターンは、異なるＵＥおよびシステムパラメータ、例えば、送信モード、多数のアドバタイズされたレガシ（例、ＬＴＥレガシ共通ＲＳ）、送信のランク、チャネル条件（時間および周波数の変動）、およびデータパケット送信に使用される変調および符号化パラメータ、に依存する。それはまた、特定タイプまたはグループのユーザの数に依存することができる。このことは、例えば、予め定義されたまたは動的に調節されたしきい値よりも大きい送信ランクを伴ったユーザの数に基づくことができる。
【０１０２】
図８Ａを参照すると、グループ特有およびユーザ特有の基準信号の両方がリソースブロック（ＲＢ）８００を使用して送信される方法の一例を図示する。示されるように、ＲＢ８００は、「Ｒｕ」と表され、ユーザ特有の基準信号の送信について割り付けられたＲＥ８１０と、「Ｒｇ」と表され、グループ特有の基準信号の送信について割り付けられたＲＥ８２０と、を含む。この例では、ＲＥ８２０は、ＲＢ８００において、複数のＲＥ８１０間にインタリーブされ、そして、例えば追加の基準信号を提供することによってチャネル推定性能を高めることができる。しかしながら、図８Ａで図示される例は限定ではなく説明という目的のために提供されているということに留意されたい、したがって、リソースエレメントの他のパターンは、他の実装では、グループ特有の基準信号とユーザ特有の基準信号との特定の組み合わせについて割り当てられる。
【０１０３】
様々な実装の性能は、共通または必須の基準信号とグループ特有の基準信号との組み合わせを提供することによって高められる。例えば、８つのＴＸアンテナと４つのＣＲＳを伴うシステムにおいて、ＵＥがランク８でサービス提供される必要がある場合、８つのＵＥ特有ＲＳが送信される必要がある。しかしながら、４つの層がＣＲＳアンテナポートを使用してビームフォーミングを使用し、残りの４つの層が他のビームを使用するようにプレコーディングが実行される場合には、ＵＥ特有のＲＳは、該残りの４つの層についてのみ送信される必要がある。最初の４つの層についてのＰＭＩ情報はＵＥに対して伝達される必要があるであろうことに留意されたい。これを実装するための例示的なプロセスは、図９のプロセス９００で示される。プロセス９００では、図２のＡＴ２５０において、２以上の基準信号が受信される。これらは、共通または必須の基準信号と、ユーザおよびグループ特有の基準信号と、の組み合わせを含む。さらに、いくつかの実装では、チャネル推定信号は受信される。チャネル推定信号は、チャネルを推定するために基準信号を組み合わせるための情報を含む。ステージ９５０において、チャネル推定信号に基づいた重み付けを含む、複数の基準信号の処理が行われ、チャネル推定値を生成する。チャネル推定値は、その後、ステージ９６０で受信されるデータ信号のステージ９７０での復調を容易にするために使用される。チャネル推定値はまた、図２のＡＴ２１０のようなシステムの他のデバイス、および／または他のデバイス、に対して送信される。
【０１０４】
具体的には、様々な設計では、基準信号の構造およびパターンは、送信モード、アドバタイズ（advertise）されたレガシ共通ＲＳの数、送信のランク、チャネル条件、例えば時間および／または周波数の変動、変調パラメータ、およびデータパケット送信において使用されるコーディングパラメータ、を含む１つまたは複数のシステムパラメータを記述または定義するデータを含む。さらに、ＲＳの構造およびパターンは、特定のタイプのシステムユーザの数または特定のグループのユーザの数を含む１つまたは複数のシステムパラメータを記述または定義しているデータを含む。別の態様では、ＵＥ特有のＲＳパターンの密度および時間配置は、送信のランク、つまり、チャネルの時間選択性（および変動）に依存する。ＲＳのパターンおよび構造は、ＵＥのデータ送信について割り付けられた周波数−時間リソースにさらに依存する。
【０１０５】
プレコードされた基準信号を提供するために構成された基準信号生成装置を含む送信サブシステムの実施形態１０００のさらなる詳細を図示する図１０を参照する。基準信号構成モジュール１０２０は、図２のモジュール２６０のようなＲＸデータプロセッサモジュールから基準信号構成データを受信および／またはリクエストする。基準信号構成データは、送信のための特定基準信号パターンおよび／または特定の基準信号シーケンスを定義するデータを含む。これは、例えば、ここに上述されるように基準信号パターンおよび／または構成である。あるいは、基準信号構成モジュール１０２０は、メモリまたは他のデータ記憶エレメントから、基準信号シーケンスおよび／またはパターンデータを検索する。基準信号構成モジュール１０２０は、送信のための、適切な基準信号シーケンスおよび／または基準信号パターンを決定することができ、そしてそれは、基準信号構成モジュールに結合するか組み込まれる基準信号生成器１０３０によって生成される。基準信号生成器は、基準信号を生成し、プレコーダモジュール１０４０に対して基準信号を提供する。プレコーダモジュール１０４０はまた、送信データプロセッサモジュール１０１０から送信のためのデータを受信する。送信データおよび基準信号はプレコーダモジュール１０４０でプレコードされ、また、送信信号生成器モジュール１０５０に対して提供されるべきデータストリームに結合（combine）される。
【０１０６】
送信信号生成器モジュール１０５０は、ＲＦプロセッサモジュール１０６０に対して時間ドメイン送信信号を提供し、ＲＦプロセッサモジュール１０６０において、送信信号が生成されて、１つまたは複数のアンテナ１０７０−１〜１０７０−Ｎｔに対して提供される。ここにおいて、Ｎｔは、送信アンテナの数を表す。
【０１０７】
プレコードされない基準信号を提供するために構成された基準信号生成装置を含む送信サブシステムの実施形態１１００のさらなる詳細を図示する図１１を参照する。基準信号構成ロジック１１２０は、図２で示されるモジュール２６０のようなＲｘデータプロセッサモジュールから、基準信号構成データを受信および／またはリクエストする。基準信号構成データは、送信のための特定基準信号パターンおよび／または特定の基準信号シーケンスを定義するデータを含む。これは、例えば、ここに上述されるように基準信号パターンおよび／または構成である。あるいは、基準信号構成ロジック１１２０は、メモリまたは他のデータ記憶エレメントから、基準信号シーケンスおよび／またはパターンデータを検索する。基準信号構成モジュール１１２０は、送信のための、適切な基準信号シーケンスおよび／または基準信号パターンを決定し、それは、基準信号構成モジュール１１２０に結合されるか組み込まれる基準信号生成器１１３０によって生成される。基準信号生成器１１３０は、基準信号を生成し、該基準信号を送信信号生成器モジュール１１５０へ提供する。図示されるように、プレコーダ１１４０は、送信データプロセッサモジュール１１１０から送信データを受信する。プレコーダ１１４０からのプレコードされた送信データと基準信号生成器１１３０からの基準信号は、送信信号生成器モジュール１１５０に対して提供され、ここでは、ＲＦプロセッサモジュール１１６０に対し時間ドメイン送信信号を生成する。ＲＦプロセッサモジュール１１６０によって生成される送信信号は、１つまたは複数のアンテナ１１７０−１〜１１７０−Ｎｔに対して提供され、ここでは、Ｎｔは、送信アンテナの数を表す。
【０１０８】
１つまたは複数の例示的な実施形態では、説明される機能は、ハードウェア、ソフトウェア、ファームウェア、またはそれらのいずれの組み合わせにおいて実装されることができる。ソフトウェアで実装される場合、機能は、コンピュータ可読媒体上で１つまたは複数の命令またはコードとして符号化または保存されることができる。コンピュータ可読媒体は、コンピュータ記憶装置媒体を含む。記憶媒体は、コンピュータによってアクセスされることができる、いずれの利用可能な媒体であることができる。限定されないが例として、そのようなコンピュータ可読媒体は、ＲＡＭ、ＲＯＭ、ＥＥＰＲＯＭ、ＣＤ−ＲＯＭあるいは他の光学ディスク記憶装置、磁気ディスク記憶装置あるいは他の磁気記憶デバイス、あるいは、命令あるいはデータ構造の形態において望まれるプログラムコードを保存あるいは搬送するために使用されることができる、また、コンピュータによってアクセスされることができる、任意の他の媒体も備えることができる。ここに使用されているように、ディスク(disk)とディスク(disc)は、コンパクトディスク(compact disc)(CD)、レーザーディスク(登録商標)(laser disc)、光学ディスク(optical disc)、デジタル汎用ディスク(digital versatile disc)(DVD)、フロッピー(登録商標)ディスク(disk)およびブルーレイディスク(blue-ray disc)を含んでおり、「ディスク(disks)」は、大抵、データを磁気で再生しているが、「ディスク(discs)」は、レーザーで光学的に再生する。上記のものの組み合わせも、また、コンピュータ可読媒体の範囲内に含まれるべきである。
【０１０９】
開示されるプロセスにおけるステップの特定の順序あるいは階層は例示的なアプローチの例であるということは理解される。設計の優先度に基づいて、プロセスにおけるステップの特定の順序または階層は、本開示の範囲内にありながら、再配列されることができる(rearranged)ということは、理解される。特許請求の範囲の方法に関する請求項は、サンプル順序における様々なステップのエレメントを表わしており、表わされている特定の順序あるいは階層に限定されるように意味されていない。
【０１１０】
当業者は、様々な異なる技法および技術のうちのいずれかを使用して、情報と信号が表わされることができるということを理解するであろう。例えば、上記の説明の全体にわたって参照されることができる、データ、命令、コマンド、情報、信号、ビット、シンボル、およびチップは、電圧、電流、電磁波、磁場あるいは磁粒子、光場あるいは光学粒子、あるいはそれらのいずれの組み合わせ、によって表わされることができる。
【０１１１】
当業者は、様々な説明のための論理ブロック、モジュール、回路、および、ここにおいて開示される実施形態に関連して説明されたアルゴリズムステップは、電子ハードウェア、コンピュータソフトウェアあるいは両方の組合せとして実装されることができる、ということをさらに理解するであろう。ハードウェアとソフトウェアのこの互換性を明瞭に説明するため、様々な説明のためのコンポーネント、ブロック、モジュール、回路およびステップが、一般に、それらの機能性という観点から、上記に説明されてきた。そのような機能性が、ハードウェアあるいはソフトウェアとして実装されるかどうかは、特定のアプリケーションと全体のシステムに課された設計制約によって決まる。熟練職人は、各特定のアプリケーションについての様々な方法で、説明された機能性を実装することができるが、そのような実装の決定は、本発明の範囲からの逸脱を生じさせるものとして解釈されるべきでない。
【０１１２】
ここでの開示に関連して説明された様々な説明のための論理、論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいは他のプログラマブル論理回路、ディスクリートゲートあるいはトランジスタ論理、ディスクリートハードウェアコンポーネント、あるいは、ここに説明された機能を実行するように設計されたそれらのいずれの組み合わせ、で実装される、あるいは実行されることができる。汎用プロセッサは、マイクロプロセッサであってもよいが、代替として、プロセッサは、任意の従来のプロセッサ、コントローラ、マイクロコントローラ、あるいはステートマシン(state machine)であってもよい。プロセッサはまた、コンピューティングデバイス(computing devices)の組み合わせ、例えば、ＤＳＰとマイクロプロセッサとの組み合わせ、複数のマイクロプロセッサ、ＤＳＰコアと併用しての１以上のマイクロプロセッサ、あるいはいずれの他のそのような構成のもの、として実装されることができる。
【０１１３】
ここに開示された実施形態に関して記述された方法またはアルゴリズムのステップは、直接ハードウェアにおいて、プロセッサによって実行されるソフトウェアモジュールにおいて、または、それらの２つの組み合わせにおいて、具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭあるいは当技術分野において知られている記憶媒体のいずれの他の形態、において常駐することができる。例示的な記憶媒体は、プロセッサに結合されるので、プロセッサが記憶媒体から情報を読み取ることができ、また記憶媒体に情報を書き込むことができる。あるいは、記憶媒体は、プロセッサに一体化されてもよい。プロセッサと記憶媒体は、ＡＳＩＣにおいて常駐することができる。ＡＳＩＣは、ユーザ端末に常駐することができる。あるいは、プロセッサと記憶媒体は、ユーザ端末において、ディスクリートコンポーネントとして常駐することができる。
【０１１４】
開示された実施形態の前述の説明は、当業者が本開示を行うまたは使用することを可能にするために提供される。これらの実施形態に対する様々な修正は、当業者にとっては容易に明らかであろう、そして、ここにおいて定義された包括的な原理は、本開示の精神あるいは範囲から逸脱することなく、他の実施形態に適用されることができる。したがって、本開示は、ここに示された実施形態に限定されるようには意図されておらず、ここに開示された原理および新規な特徴に整合する最も広い範囲が与えられるべきである。本願の請求項およびその均等物が本発明の範囲を定義するということが意図される。
【０１１５】
本願請求項は、ここにおいて示されている態様に限定されるように意図されていないが、本願請求項の用語と一貫して全範囲を与えられており、単数の構成要素への言及は、具体的に述べられていない限り「１つおよび１つのみ(one and only one)」を意味するように意図されておらず、むしろ「１以上(one or more)」を意味するように意図されている。具体的に述べられていない限り、用語「いくつか(some)」は、1つまたは複数を指す。アイテムリスト「のうちの少なくとも１つ（”at least one of”）」を指すフレーズは、これらのアイテムのいずれの組み合わせ（単独メンバも含む）も指す。例として、「ａ，ｂ，またはｃのうちの少なくとも1つ(at least one of: a, b, or c)」は、ａ；ｂ；ｃ；ａおよびｂ；ａおよびｃ；ｂおよびｃ；そしてａ，ｂ，およびｃをカバーするように意図されている。
【０１１６】
本願請求項およびその均等物が本発明の範囲を定義するということが意図される。
以下に、本願出願の当初の特許請求の範囲に記載された発明を付記する。
［付記］
［１］通信システムにおいて基準信号を送信するための方法であって、前記方法は、
第１グループのユーザデバイス特有の第１の基準信号を送信することと；
第２グループのユーザデバイスに対して共通の基準信号を送信することと、ここにおいて、前記第２グループのユーザデバイスは、前記第１グループのユーザデバイスを含む；を備える方法。
［２］ユーザデバイス特有の第２の基準信号を送信すること、をさらに備える［１］に記載の方法。
［３］前記第１の基準信号は、前記第１グループのユーザデバイスと関連づけられたデータ方向に沿ってプレコードされる、［１］に記載の方法。
［４］前記第２の基準信号は、前記ユーザデバイスと関連づけられたデータ方向に沿ってプレコードされる、［２］に記載の方法。
［５］前記第２の基準信号は、前記ユーザデバイスと関連づけられたデータ方向に沿ってプレコードされる、［３］に記載の方法。
［６］前記第１の基準信号は、前記第１グループのユーザデバイスと関連づけられたデータ方向とは異なるデータ方向に沿ってプレコードされる、［１］に記載の方法。
［７］前記第２の基準信号は、前記ユーザデバイスと関連づけられたデータ方向とは異なるデータ方向に沿ってプレコードされる、［２］に記載の方法。
［８］前記第２の基準信号は、前記ユーザデバイスと関連づけられたデータ方向とは異なるデータ方向に沿ってプレコードされる、［６］に記載の方法。
［９］チャネル推定信号を送信することをさらに含み、前記チャネル推定信号は、前記第１グループのユーザデバイスと関連づけられたチャネルを推定することに使用できる情報を含む、［１］に記載の方法。
［１０］前記情報は、基準信号の重み付けデータを含む、［９］に記載の方法。
［１１］前記基準信号の重み付けデータは、前記第１の基準信号と前記共通の基準信号とに関連づけられる、［１０］に記載の方法。
［１２］チャネル推定信号を送信することをさらに含み、前記チャネル推定信号は、前記第１グループのユーザデバイスと前記ユーザデバイスとに関連づけられたチャネルを推定することに使用できる情報を含む、［２］に記載の方法。
［１３］前記情報は、基準信号の重み付けデータを含む、［１２］に記載の方法。
［１４］前記第１の基準信号は、システムパラメータに少なくとも部分的に基づいている、［１］に記載の方法。
［１５］前記システムパラメータは、チャネル条件である、［１４］に記載の方法。
［１６］前記チャネル条件は、前記チャネルの時間選択性である、［１５］に記載の方法。
［１７］前記チャネル条件は、前記チャネルの周波数選択性である、［１５］に記載の方法。
［１８］前記システムパラメータは、ランクである、［１４］に記載の方法。
［１９］前記第１の基準信号は、第１の基準信号密度の第１の基準信号パターンを含み、前記第１の基準信号密度は、少なくとも１つのシステムパラメータにしたがって選択される、［１］に記載の方法。
［２０］前記少なくとも１つのシステムパラメータは、送信のしきい値ランクよりも大きい送信のランクで動作している前記第１グループのユーザデバイス内のユーザデバイスの数に関連する、［１９］に記載の方法。
［２１］前記少なくとも１つのシステムパラメータは、チャネル条件を備える、［１９］に記載の方法。
［２２］前記第１の基準信号パターンは、単一の時間−周波数リソースブロックに定義される、［１９］に記載の方法。
［２３］前記第１の基準信号パターンは、少なくとも第１および第２の連続する時間−周波数リソースブロックに定義される、［１９］に記載の方法。
［２４］前記第１および第２の連続する時間−周波数リソースブロックは、時間において連続している、［２３］に記載の方法。
［２５］前記第１および第２の連続する時間−周波数リソースブロックは、周波数において連続している、［２３］に記載の方法。
［２６］通信システムにおいて使用するための装置であって、前記装置は、
第１グループのユーザデバイス特有の第１の基準信号と第２グループのユーザデバイス特有の共通の基準信号とを選択するように構成された基準信号選択モジュールと、ここにおいて、前記第２グループのユーザデバイスは、前記第１グループのユーザデバイスを含む；
前記第１の基準信号と前記共通の基準信号を送信するように構成された送信モジュールと；を備える装置。
［２７］前記基準信号選択モジュールは、ユーザデバイス特有の第２の基準信号を選択するようにさらに構成され、前記送信モジュールは、前記第２の基準信号を送信するようにさらに構成される、［２６］に記載の装置。
［２８］前記第１グループのユーザデバイスと関連づけられたデータ方向に沿って前記第１の基準信号をプレコードするように構成されたプレコーディングモジュール、をさらに含む［２６］に記載の装置。
［２９］前記ユーザデバイスと関連づけられたデータ方向に沿って前記第２の基準信号をプレコードするように構成されたプレコーディングモジュール、をさらに含む［２７］に記載の装置。
［３０］前記プレコーディングモジュールは、前記ユーザデバイスと関連づけられたデータ方向に沿って前記第２の基準信号をプレコードするようにさらに構成される、［２８］に記載の装置。
［３１］前記第１グループのユーザデバイスと関連づけられたデータ方向とは異なるデータ方向に沿って前記第１の基準信号をプレコードするように構成されたプレコーディングモジュール、をさらに含む［２６］に記載の装置。
［３２］前記ユーザデバイスと関連づけられたデータ方向とは異なるデータ方向に沿って前記第２の基準信号をプレコードするように構成されたプレコーディングモジュール、をさらに含む［２７］に記載の装置。
［３３］前記プレコーディングモジュールは、前記ユーザデバイスと関連づけられたデータ方向とは異なるデータ方向に沿って前記第２の基準信号をプレコードするようにさらに構成される、［３１］に記載の装置。
［３４］前記送信モジュールは、チャネル推定信号を送信するようにさらに構成され、前記チャネル推定信号は、前記第１グループのユーザデバイスと関連づけられたチャネルを推定することに使用できる情報を含む、［２６］に記載の装置。
［３５］前記情報は、基準信号の重み付けデータを含む、［３４］に記載の装置。
［３６］前記基準信号の重み付けデータは、前記第１の基準信号と前記共通の基準信号とに関連づけられる、［３５］に記載の装置。
［３７］前記送信モジュールは、チャネル推定信号を送信するようにさらに構成され、前記チャネル推定信号は、前記第１グループのユーザデバイスと前記ユーザデバイスとに関連づけられたチャネルを推定することに使用できる情報を含む、［２７］に記載の装置。
［３８］前記情報は、基準信号の重み付けデータを含む、［３７］に記載の装置。
［３９］前記第１の基準信号は、システムパラメータに少なくとも部分的に基づいて選択される、［２６］に記載の装置。
［４０］前記システムパラメータは、チャネル条件である、［３９］に記載の装置。
［４１］前記チャネル条件は、前記チャネルの時間選択性である、［４０］に記載の装置。
［４２］前記チャネル条件は、前記チャネルの周波数選択性である、［４０］に記載の装置。
［４３］前記システムパラメータは、ランクである、［３９］に記載の装置。
［４４］前記第１の基準信号に組み込むために第１の基準信号パターンを選択するように構成された基準信号パターン選択モジュールをさらに含み、前記第１の基準信号パターンは、少なくとも１つのシステムパラメータにしたがって選択される第１の基準信号密度であるように選択される、［２６］に記載の装置。
［４５］前記少なくとも１つのシステムパラメータは、送信のしきい値ランクよりも大きい送信のランクにおいて動作している前記第１グループのユーザデバイス内のユーザデバイスの数に関連する、［４４］に記載の装置。
［４６］前記少なくとも１つのシステムパラメータは、チャネル条件を備える、［４４］に記載の装置。
［４７］前記第１の基準信号パターンは、単一の時間−周波数リソースブロックに定義される、［４４］に記載の装置。
［４８］前記第１の基準信号パターンは、少なくとも第１および第２の連続する時間−周波数リソースブロックに定義される、［４４］に記載の装置。
［４９］前記第１および第２の連続する時間−周波数リソースブロックは、時間において連続している、［４８］に記載の装置。
［５０］前記第１および第２の連続する時間−周波数リソースブロックは、周波数において連続している、［４８］に記載の装置。
［５１］通信システムにおける信号受信の方法であって、前記方法は、
１グループのユーザデバイス特有の第１の基準信号を、ユーザデバイスにおいて、受信することと、
前記ユーザデバイス特有の第２の基準信号を、前記ユーザデバイスにおいて、受信することと、
少なくとも前記第１の基準信号と前記第２の基準信号とに基づいてチャネル推定値を導出することと、  を備える方法。
［５２］共通基準信号を前記ユーザデバイスにおいて受信すること、をさらに備え、前記チャネル推定値を導出することは、前記共通の基準信号に少なくとも部分的に基づいて前記チャネル推定値を導出することを含む、［５１］に記載の方法。
［５３］前記第１の基準信号は、時間−周波数リソース領域内に含まれる第１サブセットの時間−周波数リソースエレメントによって搬送され、前記第１サブセットの時間−周波数リソースエレメントは、前記時間−周波数リソース領域に第１の基準信号パターンを定義し、
前記第２の基準信号は、前記時間−周波数リソース領域内に含まれる第２サブセットの時間−周波数リソースエレメントによって搬送され、前記第２サブセットの時間−周波数リソースエレメントは、前記時間−周波数リソース領域に第２の基準信号パターンを定義し、前記第２の基準信号パターンは、前記第１の基準信号パターンとは異なる、［５１］に記載の方法。
［５４］前記第１の基準信号は、時間−周波数リソース領域内に含まれる第１サブセットの時間−周波数リソースエレメントによって搬送され、前記第１サブセットの時間−周波数リソースエレメントは、前記時間−周波数リソース領域に第１の基準信号パターンを定義し、
前記第２の基準信号は、前記時間−周波数リソース領域内に含まれる第２サブセットの時間−周波数リソースエレメントによって搬送され、前記第２サブセットの時間−周波数リソースエレメントは、前記時間−周波数リソース領域に第２の基準信号パターンを定義し、
前記共通の基準信号は、前記時間−周波数リソース領域内に含まれる第３サブセットの時間−周波数リソースエレメントによって搬送され、前記第３サブセットの時間−周波数リソースエレメントは、前記時間−周波数リソース領域に第３の基準信号パターンを定義し、前記第１の基準信号パターン、前記第２の基準信号パターン、および前記第３の基準信号パターンは、異なる信号パターンを備える、［５２］に記載の方法。
［５５］前記ユーザデバイスにおいてデータ信号を受信することと、
前記チャネル推定値に少なくとも部分的に基づいて前記データ信号を復調することと、をさらに備える［５１］に記載の方法。
［５６］チャネル推定信号を受信することと、
をさらに含み、前記チャネル推定信号は、前記第１グループのユーザデバイスと関連づけられたチャネルを推定することに使用できる情報を含み、前記チャネル推定値を導出することは、前記チャネル推定信号にさらに基づいている、［５１］に記載の方法。
［５７］前記情報は、基準信号の重み付けデータを含み、前記チャネル推定値を導出することは、前記重み付けデータに少なくとも部分的に基づいている、［５６］に記載の方法。
［５８］前記第１の基準信号は、システムパラメータに少なくとも部分的に基づいている、［５１］に記載の方法。
［５９］前記システムパラメータは、チャネル条件である、［５８］に記載の方法。
［６０］前記チャネル条件は、前記チャネルの時間選択性である、［５９］に記載の方法。
［６１］前記チャネル条件は、前記チャネルの周波数選択性である、［５９］に記載の方法。
［６２］前記システムパラメータは、ランクである、［５８］に記載の方法。
［６３］通信システムにおいて使用するための装置であって、前記装置は、
１グループのユーザデバイス特有の第１の基準信号と、ユーザデバイス特有の第２の基準信号と、を受信するように構成された受信機モジュールと、
少なくとも前記第１の基準信号と前記第２の基準信号とに基づいてチャネル推定値を導出するように構成されたチャネル推定モジュールと、を備える装置。
［６４］前記受信機モジュールは、共通の基準信号を受信するようにさらに構成され、前記チャネル推定値を導出することは、前記共通の基準信号に少なくとも部分的に基づいて前記チャネル推定値を導出することをさらに含む、［６３］に記載の装置。
［６５］前記第１の基準信号は、時間−周波数リソース領域内に含まれる第１サブセットの時間−周波数リソースエレメントによって搬送され、前記第１サブセットの時間−周波数リソースエレメントは、前記時間−周波数リソース領域に第１の基準信号パターンを定義し、
前記第２の基準信号は、前記時間−周波数リソース領域内に含まれる第２サブセットの時間−周波数リソースエレメントによって搬送され、前記第２サブセットの時間−周波数リソースエレメントは、前記時間−周波数リソース領域に第２の基準信号パターンを定義し、前記第２の基準信号パターンは、前記第１の基準信号パターンとは異なる、［６４］に記載の装置。
［６６］前記第１の基準信号は、時間−周波数リソース領域内に含まれる第１サブセットの時間−周波数リソースエレメントによって搬送され、前記第１サブセットの時間−周波数リソースエレメントは、前記時間−周波数リソース領域に第１の基準信号パターンを定義し、
前記第２の基準信号は、前記時間−周波数リソース領域内に含まれる第２サブセットの時間−周波数リソースエレメントによって搬送され、前記第２サブセットの時間−周波数リソースエレメントは、前記時間−周波数リソース領域に第２の基準信号パターンを定義し、
前記共通の基準信号は、前記時間−周波数リソース領域内に含まれる第３サブセットの時間−周波数リソースエレメントによって搬送され、前記第３サブセットの時間−周波数リソースエレメントは、前記時間−周波数リソース領域に第３の基準信号パターンを定義し、前記第１の基準信号パターン、前記第２の基準信号パターン、および前記第３の基準信号パターンは、異なる信号パターンを備える、［６４］に記載の方法。
［６７］前記受信機モジュールはデータ信号を受信するようにさらに構成され、前記チャネル推定値に少なくとも部分的に基づいて前記データ信号を復調するように構成された復調モジュール、をさらに備える、［６３］に記載の装置。
［６８］前記受信機モジュールは、チャネル推定信号を受信するようにさらに構成され、前記チャネル推定信号は、前記第１グループのユーザデバイスと関連づけられたチャネルを推定することに使用できる情報を含み、前記チャネル推定モジュールは、前記チャネル推定信号に少なくとも部分的に基づいて前記チャネル推定値を導出するようにさらに構成される、［６３］に記載の装置。
［６９］前記情報は、基準信号の重み付けデータを含み、前記チャネル推定値を導出することは、前記重み付けデータに少なくとも部分的に基づいている、［６８］に記載の装置。
［７０］前記第１の基準信号は、システムパラメータに少なくとも部分的に基づいている、［６３］に記載の装置。
［７１］前記システムパラメータは、チャネル条件である、［７０］に記載の装置。
［７２］前記チャネル条件は、前記チャネルの時間選択性である、［７１］に記載の装置。
［７３］前記チャネル条件は、前記チャネルの周波数選択性である、［７１］に記載の装置。
［７４］前記システムパラメータは、ランクである、［７０］に記載の装置。
［７５］コンピュータ可読媒体を備えるコンピュータプログラムプロダクトであって、前記コンピュータ可読媒体は、コンピュータに、
第１グループのユーザデバイス特有の第１の基準信号を送信させるコードと；
第２グループのユーザデバイスに対して共通の基準信号を送信させるコードと、ここにおいて、前記第２グループのユーザデバイスは、前記第１グループのユーザデバイスを含む；
を含む、コンピュータプログラムプロダクト。
［７６］コンピュータに、ユーザデバイス特有の第２の基準信号を送信させるコード、をさらに含む［７５］に記載のコンピュータプログラムプロダクト。
［７７］コンピュータに、前記第１グループのユーザデバイスと関連づけられたデータ方向に沿って前記第１の基準信号をプレコードさせるコード、をさらに含む［７５］に記載のコンピュータプログラムプロダクト。
［７８］コンピュータに、前記ユーザデバイスと関連づけられたデータ方向に沿って前記第２の基準信号をプレコードさせるコード、をさらに含む［７５］に記載のコンピュータプログラムプロダクト。
［７９］コンピュータに、
時間−周波数リソース領域と、前記時間−周波数リソース領域内に含まれる第１の基準信号を搬送する第１サブセットの時間−周波数リソースエレメントとを選択させるコードと、なお、前記第１サブセットの時間−周波数リソースエレメントは、チャネル推定のために配置された前記時間−周波数リソース領域に第１の基準信号パターンを定義する；
第１グループのユーザデバイスに対して前記第１の基準信号を送信させるコードと；を含む、［７５］に記載のコンピュータプログラムプロダクト。
［８０］前記第１の基準信号パターンは、第１の基準信号密度であり、前記コードは、コンピュータに、少なくとも１つのシステムパラメータにしたがって前記第１の基準信号密度を選択させるコードを含む、［７９］に記載のコンピュータプログラムプロダクト。
［８１］前記少なくとも１つのシステムパラメータは、チャネル条件を備える、［８０］に記載のコンピュータプログラムプロダクト。
［８２］前記チャネル条件は、前記チャネルの時間選択性である、［８１］に記載のコンピュータプログラムプロダクト。
［８３］前記チャネル条件は、前記チャネルの周波数選択性である、［８１］に記載のコンピュータプログラムプロダクト。
［８４］通信システムにおいて使用するための装置であって、前記装置は、
第１グループのユーザデバイス特有の第１の基準信号と第２グループのユーザデバイス特有の共通の基準信号を選択する手段と、ここにおいて、前記第２グループのユーザデバイスは、前記第１グループのユーザデバイスを含む；
前記第１の基準信号と前記共通の基準信号を送信する手段と；を備える装置。
［８５］ユーザデバイス特有の第２の基準信号を選択する手段と、前記第２の基準信号を送信する手段と、をさらに含む［８４］に記載の装置。
［８６］前記第１グループのユーザデバイスと関連づけられたデータ方向に沿って前記第１の基準信号をプレコードする手段、をさらに含む［８４］に記載の装置。
［８７］前記ユーザデバイスと関連づけられたデータ方向に沿って前記第２の基準信号をプレコードする手段、をさらに含む［８５］に記載の装置。
［８８］コンピュータ可読媒体を備えるコンピュータプログラムプロダクトであって、前記コンピュータ可読媒体は、コンピュータに、
１グループのユーザデバイス特有の第１の基準信号を、ユーザデバイスにおいて受信させるためのコードと、
前記ユーザデバイス特有の第２の基準信号を、前記ユーザデバイスにおいて受信させるためのコードと、
少なくとも前記第１の基準信号と前記第２の基準信号とに基づいてチャネル推定値を導出させるためのコードと、
を含む、コンピュータプログラムプロダクト。
［８９］通信システムにおいて使用するための装置であって、前記装置は、
１グループのユーザデバイス特有の第１の基準信号と、ユーザデバイス特有の第２の基準信号とを受信する手段と、
少なくとも前記第１の基準信号と前記第２の基準信号とに基づいてチャネル推定値を導出する手段と、を備える装置。
［９０］共通の基準信号を受信する手段と、前記共通の基準信号に少なくとも部分的に基づいて前記チャネル推定値を導出する手段と、をさらに含む［８９］に記載の装置。
［９１］データ信号を受信する手段と、前記チャネル推定値に少なくとも部分的に基づいて前記データ信号を復調する手段と、をさらに含む［８９］に記載の装置。
【図１】
0005420752.tif 000003
【図２】
0005420752.tif 000004
【図３】
0005420752.tif 000005
【図４Ａ】
0005420752.tif 000006
【図４Ｂ】
0005420752.tif 000007
【図４Ｃ】
0005420752.tif 000008
【図４Ｄ】
0005420752.tif 000009
【図５Ａ】
0005420752.tif 000010
【図５Ｂ】
0005420752.tif 000011
【図５Ｃ】
0005420752.tif 000012
【図５Ｄ】
0005420752.tif 000013
【図５Ｅ】
0005420752.tif 000014
【図６】
0005420752.tif 000015
【図７Ａ】
0005420752.tif 000016
【図７Ｂ】
0005420752.tif 000017
【図８】
0005420752.tif 000018
【図９】
0005420752.tif 000019
【図１０】
0005420752.tif 000020
【図１１】
0005420752.tif 000021